(57)【特許請求の範囲】
【請求項１】
装置であって、
少なくとも一部分がハードウェアに存在するロジックを備え、前記ロジックが、
インター周波数事象評価ブラックリストと、ユーザ装置（ＵＥ）の未使用周波数を識別する周波数情報情報要素（ＩＥ）とを含むインター周波数測定報告基準ＩＥを含んでいる受信した測定制御メッセージにアクセスし、前記ロジックが、
前記未使用周波数のために任意のローカルなインター周波数事象評価ブラックリストが存在するか否かを判定し、
前記未使用周波数のためにローカルなインター周波数事象評価ブラックリストが存在すると判定された場合、前記未使用周波数のための前記の既存のローカルなインター周波数事象評価ブラックリストの内容を前記インター周波数測定報告基準ＩＥに含まれる前記インター周波数事象評価ブラックリストの内容で置き換え、
前記未使用周波数のためにローカルなインター周波数事象評価ブラックリストが存在しないと判定された場合、前記未使用周波数のためのローカルなインター周波数事象評価ブラックリストを作成するとともに、前記未使用周波数のための前記ローカルなインター周波数事象評価ブラックリストを前記インター周波数測定報告基準ＩＥに含まれる前記インター周波数事象評価ブラックリストの内容で満たし、
前記未使用周波数のために設定される１つ又は複数のインター周波数測定と関連付けられた測定識別子の解放を示す解放通知にアクセスし、
前記の解放された測定識別子が前記測定制御メッセージに含まれる測定識別子と異なるという判定に応答して、前記未使用周波数のための前記ローカルなインター周波数事象評価ブラックリストを維持する、装置。
【請求項２】
前記インター周波数事象評価ブラックリストが、前記未使用周波数のための前記ＵＥの検出セットの間で包含される１つ又は複数のセルのリストを含む、請求項１に記載の装置。
【請求項３】
前記測定制御メッセージが、複数のインター周波数事象評価ブラックリストを含み、前記複数のインター周波数事象評価ブラックリストのそれぞれが、前記ＵＥの複数の未使用周波数のうちの各１つに対応する、請求項１に記載の装置。
【請求項４】
前記測定制御メッセージが、前記測定制御メッセージが測定を変更することを目的としていることを示すための値を包含する測定命令ＩＥを含む、請求項１に記載の装置。
【請求項５】
前記測定制御メッセージが、変更されるべき前記測定と関連付けられた識別子を包含する測定識別子ＩＥを含む、請求項４に記載の装置。
【請求項６】
前記測定制御メッセージが、専用制御チャネル（ＤＣＣＨ）を介して受信される、請求項１に記載の装置。
【請求項７】
システムであって、
請求項１から請求項６のいずれかに記載の装置と、
前記ロジックと通信可能に接続された１つ又は複数の無線周波数（ＲＦ）トランシーバと、
それぞれが前記１つ又は複数のＲＦトランシーバのうちの少なくとも１つと通信可能に接続された１つ又は複数のＲＦアンテナとを備える、システム。
【請求項８】
少なくとも１つのコンピュータプログラムであって、
ユーザ装置（ＵＥ）上で実行されることに応答して、前記ＵＥに、
インター周波数事象評価ブラックリストと、前記ＵＥの未使用周波数を識別する周波数情報情報要素（ＩＥ）とを含むインター周波数測定報告基準ＩＥを含んでいる受信した測定制御メッセージにアクセスさせ、
前記未使用周波数のために任意のローカルなインター周波数事象評価ブラックリストが存在するか否かを判定させ、
前記未使用周波数のためにローカルなインター周波数事象評価ブラックリストが存在すると判定された場合、前記未使用周波数のための前記の既存のローカルなインター周波数事象評価ブラックリストの内容を前記インター周波数測定報告基準ＩＥに含まれる前記インター周波数事象評価ブラックリストの内容で置き換えさせ、
前記未使用周波数のためにローカルなインター周波数事象評価ブラックリストが存在しないと判定された場合、前記未使用周波数のためのローカルなインター周波数事象評価ブラックリストを作成させるとともに、前記未使用周波数のための前記ローカルなインター周波数事象評価ブラックリストを前記インター周波数測定報告基準ＩＥに含まれる前記インター周波数事象評価ブラックリストの内容で満たさせ、
前記未使用周波数のために設定される１つ又は複数のインター周波数測定と関連付けられた測定識別子の解放を示す解放通知にアクセスさせ、
前記の解放された測定識別子が前記測定制御メッセージに含まれる測定識別子と異なるという判定に応答して、前記未使用周波数のための前記ローカルなインター周波数事象評価ブラックリストを維持させる命令のセットを含む、少なくとも１つのコンピュータプログラム。
【請求項９】
前記インター周波数事象評価ブラックリストが、前記未使用周波数のための前記ＵＥの検出セットの間で包含される１つ又は複数のセルのリストを含む、請求項８に記載の少なくとも１つのコンピュータプログラム。
【請求項１０】
前記測定制御メッセージが、複数のインター周波数事象評価ブラックリストを含み、前記複数のインター周波数事象評価ブラックリストのそれぞれが、前記ＵＥの複数の未使用周波数のうちの各１つに対応する、請求項８に記載の少なくとも１つのコンピュータプログラム。
【請求項１１】
前記測定制御メッセージが、前記測定制御メッセージが測定を変更することを目的としていることを示すための値を包含する測定命令ＩＥを含む、請求項８に記載の少なくとも１つのコンピュータプログラム。
【請求項１２】
前記測定制御メッセージが、変更されるべき前記測定と関連付けられた識別子を包含する測定識別子ＩＥを含む、請求項１１に記載の少なくとも１つのコンピュータプログラム。
【請求項１３】
前記測定制御メッセージが、専用制御チャネル（ＤＣＣＨ）を介して受信される、請求項８に記載の少なくとも１つのコンピュータプログラム。
【請求項１４】
方法であって、
インター周波数事象評価ブラックリストと、ユーザ装置（ＵＥ）の未使用周波数を識別する周波数情報情報要素（ＩＥ）とを含むインター周波数測定報告基準ＩＥを含んでいる受信した測定制御メッセージにアクセスするステップと、
前記未使用周波数のために任意のローカルなインター周波数事象評価ブラックリストが存在するか否かを判定するステップと、
前記未使用周波数のためにローカルなインター周波数事象評価ブラックリストが存在すると判定された場合、前記未使用周波数のための前記の既存のローカルなインター周波数事象評価ブラックリストの内容を前記インター周波数測定報告基準ＩＥに含まれる前記インター周波数事象評価ブラックリストの内容で置き換えるステップと、
前記未使用周波数のためにローカルなインター周波数事象評価ブラックリストが存在しないと判定された場合、前記未使用周波数のためのローカルなインター周波数事象評価ブラックリストを作成するとともに、前記未使用周波数のための前記ローカルなインター周波数事象評価ブラックリストを前記インター周波数測定報告基準ＩＥに含まれる前記インター周波数事象評価ブラックリストの内容で満たすステップと、
前記未使用周波数のために設定される１つ又は複数のインター周波数測定と関連付けられた測定識別子の解放を示す解放通知にアクセスするステップと、
前記の解放された測定識別子が前記測定制御メッセージに含まれる測定識別子と異なるという判定に応答して、前記未使用周波数のための前記ローカルなインター周波数事象評価ブラックリストを維持するステップとを含む、方法。
【請求項１５】
前記インター周波数事象評価ブラックリストが、前記未使用周波数のための前記ＵＥの検出セットの間で包含される１つ又は複数のセルのリストを含む、請求項１４に記載の方法。
【請求項１６】
前記測定制御メッセージが、複数のインター周波数事象評価ブラックリストを含み、前記複数のインター周波数事象評価ブラックリストのそれぞれが、前記ＵＥの複数の未使用周波数のうちの各１つに対応する、請求項１４に記載の方法。
【請求項１７】
前記測定制御メッセージが、前記測定制御メッセージが測定を変更することを目的としていることを示すための値を包含する測定命令ＩＥを含む、請求項１４に記載の方法。
【請求項１８】
前記測定制御メッセージが、変更されるべき前記測定と関連付けられた識別子を包含する測定識別子ＩＥを含む、請求項１７に記載の方法。
【請求項１９】
前記測定制御メッセージが、専用制御チャネル（ＤＣＣＨ）を介して受信される、請求項１４に記載の方法。
【請求項２０】
請求項８から請求項１３のいずれか一項に記載のコンピュータプログラムを記憶したコンピュータ読み取り可能な記憶媒体。
【発明の詳細な説明】
【技術分野】
【０００１】
本明細書の実施例は、一般に、広帯域の無線通信ネットワークにおける装置間の通信に関する。
【０００２】
本出願は、２０１４年５月８日に出願された米国仮特許出願番号６１／９９０，６９１号に対して優先権を主張する２０１４年１２月２６日に出願された米国特許出願番号１４／５８３，５２７号に対する優先権を主張し、その全体が参照により本明細書に組み込まれている。
【背景技術】
【０００３】
ユニバーサル移動体通信システム（ＵＭＴＳ）地上無線アクセスネットワーク（ＵＴＲＡＮ）における無線ネットワーク制御装置（ＲＮＣ）は、周波数内検出セット測定（ＤＳＭ）（intra-frequency  detected  set  measurements）及び／又は周波数間ＤＳＭを実行するようにユーザ装置（ＵＥ）を設定することができる。周波数内ＤＳＭは、一般に、ＵＥにより使用されている周波数（“使用済み周波数”）において動作する検出セットセルと関連付けられたＤＳＭを含むことができ、一方、周波数間ＤＳＭは、一般に、他の周波数（“未使用周波数”）で動作する検出セットセルと関連付けられたＤＳＭを含むことができる。周波数内ＤＳＭ及び／又は周波数間ＤＳＭを実行するようにＵＥを設定することと併せて、ＲＮＣは、そのようなＤＳＭに基づく事象評価を実行するようにＵＥを設定し得る。与えられた検出セットセルに関して、事象評価は、一般に、１つ又は複数の定義された事象がその検出セットセルのためのＤＳＭに基づいて発生したかどうかを判定することを必要とし得る。事象評価は、同様に、もし何らかのそのような事象が発生したことを判定するならば、検出セットセルに関する情報をＲＮＣに報告することを必要とし得る。
【０００４】
いくつかの場合において、高密度の配置の特徴を示し得るセルのような、与えられたＵＥにより検出され得るセルは、多数のセルを含み得る。そのような状況の下では、全体の検出セットセルに対して事象評価を実行することは、例えば測定報告、ハンドオーバトリガリングの観点から、ＵＥとＲＮＣとの間のシグナリング交換を著しく増大させる。このシグナリングオーバヘッドの削減を可能にするために、ＵＥが、事象評価から１つ又は複数の検出セットセルを除外するように設定可能であることが望ましいかもしれない。
【図面の簡単な説明】
【０００５】
【図１】第１の動作環境の実施例を例示する。
【図２】第２の動作環境の実施例を例示する。
【図３】第３の動作環境の実施例を例示する。
【図４】第１の論理フローの実施例を例示する。
【図５】第２の論理フローの実施例を例示する。
【図６】第３の論理フローの実施例を例示する。
【図７】記憶媒体の実施例を例示する。
【図８】装置の実施例を例示する。
【図９】無線ネットワークの実施例を例示する。
【発明を実施するための形態】
【０００６】
各種の実施例は、一般に、検出セット事象評価のためのブラックリスト化技術を対象にし得る。一実施例において、例えば、ユーザ装置（ＵＥ）は、少なくとも１つの無線周波数（ＲＦ）トランシーバと、少なくとも１つのＲＦアンテナと、少なくとも一部分がハードウェアに存在するロジックとを備えることができ、ロジックは、無線通信周波数のための遠隔的に選択された事象評価ブラックリスト（ＥＥＢ）を含む測定制御メッセージを受信し、ローカルなＥＥＢが無線通信周波数のために存在するかどうかを判定するとともに、ローカルなＥＥＢが無線通信周波数のために存在するという判定に応答して、ローカルなＥＥＢの内容を遠隔的に選択されたＥＥＢの内容と置き換える。他の実施例が説明されるとともに権利請求される。
【０００７】
各種の実施例は、１つ又は複数の構成要素を含み得る。構成要素は、特定の動作を実行するように配置されたあらゆる構造を含み得る。各構成要素は、与えられた一連の設計パラメータ又は性能の制約に対する要求どおりに、ハードウェア、ソフトウェア、又はこれらのあらゆる組み合わせとして実施され得る。実施例は、一例として、特定の接続形態（topology）における限られた数の構成要素によって説明され得るが、実施例は、与えられた実装例に対する要求どおりに、代わりの接続形態において、より多い構成要素、又はより少ない構成要素を含み得る。「一実施例」又は「実施例」に対するあらゆる言及が、実施例に関連して説明された特定の特徴、構造、又は特性が少なくとも一実施例に含まれることを意味する、ということは注目すべき点である。本明細書における様々な場所における「一実施例において」、「いくつかの実施例において」、及び「各種の実施例において」という語句の状況は、必ずしも全て同じ実施例を参照しているとは限らない。
【０００８】
ここで開示された技術は、１つ又は複数の無線移動広帯域技術を使用する１つ又は複数の無線接続を介したデータの伝送に関連し得る。例えば、各種の実施例は、先行版、改訂版、後継版、及び／又は変形版を含む、１つ又は複数の第３世代パートナシッププロジェクト（３ＧＰＰ）技術及び／若しくは標準、３ＧＰＰロングタームエボリューション（ＬＴＥ）技術及び／若しくは標準、並びに／又は、３ＧＰＰ  ＬＴＥ−Ａｄｖａｎｃｅｄ（ＬＴＥ−Ａ）技術及び／若しくは標準による１つ又は複数の無線接続を介した伝送に関連し得る。各種の実施例は、更に又は代わりに、先行版、改訂版、後継版、及び／又は変形版を含む、１つ又は複数のグローバルシステムフォーモバイルコミュニケーションズ（Global  System  for  Mobile  Communications：ＧＳＭ（登録商標））／ＧＳＭ（登録商標）進化型高速データレート（Enhanced  Data  Rates  for  GSM（登録商標）  Evolution：ＥＤＧＥ）技術及び／若しくは標準、ユニバーサル移動体通信システム（Universal  Mobile  Telecommunications  System：ＵＭＴＳ）／高速パケットアクセス（High  Speed  Packet  Access：ＨＳＰＡ）技術及び／若しくは標準、並びに／又は、汎用パケット無線サービスを備えたＧＳＭ（登録商標）（GSM（登録商標）  with  General  Packet  Radio  Service：ＧＰＲＳ）システム（ＧＳＭ（登録商標）／ＧＰＲＳ）技術及び／若しくは標準による伝送に関連し得る。
【０００９】
無線移動広帯域技術及び／又は標準の実例は、限定はしないが、同様に、先行版、改訂版、後継版、及び／又は変形版を含む、米国電気電子学会（Institute  of  Electrical  and  Electronics  Engineers：ＩＥＥＥ）８０２．１６ｍ及び／又は８０２．１６ｐのような、ＩＥＥＥ８０２．１６無線広帯域標準の技術及び／又は標準、国際移動体通信アドバンスト（International  Mobile  Telecommunications  Advanced：ＩＭＴ−ＡＤＶ）技術及び／又は標準、ワイマックス（Worldwide  Interoperability  for  Microwave  Access：ＷｉＭＡＸ）及び／若しくはＷｉＭＡＸ  II技術及び／又は標準、符号分割多重アクセス（Code  Division  Multiple  Access：ＣＤＭＡ）２０００（例えば、ＣＤＭＡ２０００  ｌｘＲＴＴ、ＣＤＭＡ２０００  ＥＶ−ＤＯ、ＣＤＭＡ  ＥＶ−ＤＶなど）技術及び／又は標準、高性能無線メトロポリタンエリアネットワーク（High  Performance  Radio  Metropolitan  Area  Network：ＨＩＰＥＲＭＡＮ）技術及び／又は標準、ワイヤレスブロードバンド（Wireless  Broadband：ＷｉＢｒｏ）技術及び／又は標準、高速ダウンリンクパケットアクセス（High  Speed  Downlink  Packet  Access：ＨＳＤＰＡ）技術及び／又は標準、高速直交周波数分割多重（Orthogonal  Frequency-Division  Multiplexing：ＯＦＤＭ）パケットアクセス（ＨＳＯＰＡ）技術及び／又は標準、高速アップリンクパケットアクセス（High-Speed  Uplink  Packet  Access：ＨＳＵＰＡ）技術及び／又は標準のいずれかを含んでいる。
【００１０】
いくつかの実施例は、更に又は代わりに、他の無線通信技術及び／又は標準に従った無線通信に関連し得る。各種の実施例において使用され得る他の無線通信技術及び／又は標準の実例は、限定はしないが、いずれかのあらゆる先行版、改訂版、後継版、及び／又は変形版を含む、ＩＥＥＥ  ８０２．１１、ＩＥＥＥ  ８０２．１１ａ、ＩＥＥＥ  ８０２．１１ｂ、ＩＥＥＥ  ８０２．１１ｇ、ＩＥＥＥ  ８０２．１１ｎ、ＩＥＥＥ  ８０２．１１ｕ、ＩＥＥＥ  ８０２．１１ａｃ、ＩＥＥＥ  ８０２．１１ａｄ、ＩＥＥＥ  ８０２．１１ａｆ、及び／若しくはＩＥＥＥ  ８０２．１１ａｈ標準のような他のＩＥＥＥ無線通信標準、ＩＥＥＥ８０２．１１高効率ＷＬＡＮ（ＨＥＷ）研究グループにより開発された高効率Ｗｉ−Ｆｉ標準、Ｗｉ−Ｆｉ、Ｗｉ−Ｆｉダイレクト、Ｗｉ−Ｆｉダイレクトサービス、ワイヤレスギガビット（ワイギグ：ＷｉＧｉｇ）、ＷｉＧｉｇディスプレイ拡張（ＷＤＥ）、ＷｉＧｉｇバス拡張（ＷＢＥ）、ＷｉＧｉｇシリアル拡張（ＷＳＥ）標準のようなＷｉ−Ｆｉアライアンス（ＷＦＡ）無線通信標準、及び／若しくはＷＦＡ近接認識ネットワーキング（ＮＡＮ）タスクグループにより開発された標準、３ＧＰＰ技術レポート（ＴＲ）２３．８８７、３ＧＰＰ技術仕様書（ＴＳ）２２．３６８、及び／若しくは３ＧＰＰ  ＴＳ２３．６８２において具体化された標準のようなマシン型通信（ＭＴＣ）標準、並びに／又は、近距離無線通信（ＮＦＣ）フォーラムにより開発された標準のようなＮＦＣ標準を含み得る。実施例は、これらの実例に限定されない。
【００１１】
１つ又は複数の無線接続を介した伝送に加えて、ここで開示された技術は、１つ又は複数の有線通信媒体を通る１つ又は複数の有線接続を介したコンテンツの伝送に関連し得る。有線通信媒体の実例は、ワイヤ、ケーブル、金属リード線、プリント回路基板（ＰＣＢ）、バックプレーン、スイッチ構造（switch  fabric）、半導体材料、ツイストペアワイヤ、同軸ケーブル、光ファイバなどを含み得る。実施例は、この文脈に限定されない。
【００１２】
図１は、ＵＴＲＡＮによる動作環境１００を例示する。ＵＴＲＡＮは、複数の無線ネットワークサブシステム（ＲＮＳ）から構成され、各ＲＮＳは、１つ又は複数の基地局（ノードＢ）が関連付けられる無線ネットワーク制御装置（Radio  Network  Controller、ＲＮＣ）から構成される。動作環境１００において、ＲＮＣ（動作環境１００では図示せず）は、無線ネットワークサブシステムの全ての無線セルにおける無線リソースの割り当てを監視するとともに制御し、ノードＢ１０２は、一般に、セル１０４内における無線接続性を提供する。ノードＢ１０２から無線サービスを取得することと併せて、セル１０４内に位置しているＵＥ１０６は、接続モード“ＣＥＬＬ  ＤＣＨ無線リソース制御（ＲＲＣ）状態”で動作する。ＵＥ１０６が接続モード“ＣＥＬＬ  ＤＣＨ  ＲＲＣ状態”で動作するので、様々な他のセル１０８は、ＵＥ１０６がそれらを検出することを可能にするために、ＵＥ１０６への十分な近接性の中に位置付けられ得る。ＵＥ１０６が検出する各セル１０８は、アクティブセット、監視セット、又は検出セットのいずれかに分類され得る。アクティブセットは、アップリンク（ＵＬ）及びダウンリンク（ＤＬ）においてＵＥ１０６と専用物理チャネル（ＤＰＣＨ）を確立したセル１０８を含み得る。監視セットは、アクティブセットには含まれないが、測定制御メッセージ又はシステム情報を通じてＲＮＣにより設定されるとともに、ＵＥ１０６により維持されることになるＣＥＬＬ  ＩＮＦＯ  ＬＩＳＴに含まれるセル１０８を含み得る。検出セットは、ＵＥ１０６が検出したが、アクティブセット又は監視セットのどちらにも含まれないセル１０８を含み得る。図１において示されたように、様々なセル１０８のそれぞれのサイズは異なるかもしれず、複数のセル１０８の間にはオーバラップがあるかもしれないとともに、セル１０８の配置密度は、いくらかの領域において、他の領域より大きいかもしれない。
【００１３】
ＵＥ１０６がＣＥＬＬ  ＤＣＨ  ＲＲＣ状態で動作する一方、ノードＢ１０２は、ＵＥ１０６についての検出セットに含まれるセル１０８と関連付けられた測定及び事象評価を含み得る様々なタイプの測定及び事象評価を実行するようにＵＥ１０６に指示するために、その関連するＲＮＣから受信された測定制御情報をＵＥ１０６に送信し得る。より具体的には、ＲＮＣは、周波数内ＤＳＭ及び事象評価、並びに／又は、周波数間ＤＳＭ及び事象評価を実行するように、ＵＥ１０６に指示し得る。もし多数のセル１０８がＵＥ１０６についての検出セットに含まれるならば、全体の検出セットに対する事象評価を実行するようにＵＥ１０６に要求することは、ＵＥ１０６とＲＮＣとの間のシグナリング交換を著しく増大させ得る。したがって、ＲＮＣが、事象評価から１つ又は複数の検出セットセルを除外するようにＵＥ１０６を設定することができることが望ましいかもしれない。
【００１４】
ここで開示されるのは、検出セット事象評価のためのブラックリスト化技術である。開示された技術によれば、ＲＮＣは、１つ又は複数の事象評価から１つ又は複数の検出セットセルを除外するように、ＵＥ１０６のようなＵＥを設定し得る。より具体的には、いくつかの実施例において、ＲＮＣは、ＵＥに１つ又は複数の事象評価ブラックリスト（ＥＥＢ）を設定することができ、ＥＥＢのうちのそれぞれは、１つ又は複数の事象評価から除外されるべき１つ又は複数の検出セットセルを識別し得る。各種の実施例において、各ＥＥＢは、異なる無線通信周波数に対応し得る。いくつかの実施例において、１つ又は複数のＥＥＢは、周波数内ＤＳＭに適用される周波数内ＥＥＢを含み得る。各種の実施例において、１つ又は複数のＥＥＢは、更に又は代わりに、１つ又は複数の周波数間ＥＥＢを含むことができ、周波数間ＥＥＢのうちのそれぞれは、ＵＥの異なるそれぞれの未使用周波数と関連付けられた周波数間ＤＳＭに対応し得る。実施例は、この文脈に限定されない。
【００１５】
図２は、いくつかの実施例における検出セット事象評価のためのブラックリスト化技術の適用と併せてＲＮＣと図１のＵＥ１０６との間で通信が交換され得る動作環境２００の一例を例示する。動作環境２００において、ＵＥ１０６は、検出セット情報２０８を維持するように動作し得る。任意の時点において、検出セット情報２０８は、一般に、ＵＥ１０６についての検出セットに現在含まれている（複数の）セルを識別する情報を含み得る。各種の実施例において、検出セット情報２０８は、検出セットに含まれる（複数の）セルの特性を説明する情報を更に含み得る。例えば、いくつかの実施例において、検出セット情報２０８は、検出セットにおける（複数の）セルのそれぞれの動作周波数を識別する情報を更に含み得る。各種の実施例において、検出セット情報２０８は、ＵＥ１０６が動作するのと同じ無線通信周波数において動作する１つ又は複数の検出セットセルを含む周波数内検出セットを識別する情報を含み得る。いくつかの実施例において、検出セット情報２０８は、他のそれぞれの無線通信周波数において動作する１つ又は複数の検出セットセルを含む周波数間検出セットを識別する情報を更に又は代わりに含み得る。実施例は、この文脈に限定されない。
【００１６】
各種の実施例において、ＲＮＣは、１つ又は複数の周波数内測定（intra-frequency  measurement）を実行するようにＵＥ１０６を設定するために、測定制御メッセージ２１０をＵＥ１０６に送信し得る。いくつかの実施例において、測定制御メッセージ２１０は、１つ又は複数の周波数内ＤＳＭを実行するようにＵＥ１０６を設定し得る。各種の実施例において、測定制御メッセージ２１０は、同様に、ＵＥ１０６の周波数内ＤＳＭに基づいて、１つ又は複数の事象評価を実行するようにＵＥ１０６を設定し得る。いくつかの実施例において、測定制御メッセージ２１０は、３ＧＰＰ  ＴＳ２５．３３１バージョン１１．９．０（２０１４年３月）、並びに／又は、そのあらゆる先行物、変形物及び／若しくは後継物（まとめると、３ＧＰＰ  ＴＳ２５．３３１）による“測定制御（MEASUREMENT  CONTROL）”メッセージを含み得る。各種の実施例において、ＲＮＣは、専用制御チャネル（ＤＣＣＨ）を介して測定制御メッセージ２１０をＵＥ１０６に送信するように機能し得る。実施例は、この文脈に限定されない。
【００１７】
いくつかの実施例において、測定制御メッセージ２１０は、測定識別子２１１を含み得る。各種の実施例において、測定識別子２１１は、測定制御メッセージ２１０により設定される（複数の）測定のセットと関連付けられた識別子を包含する情報要素（information  element：ＩＥ）を含み得る。いくつかの実施例において、測定制御メッセージ２１０は、測定制御メッセージ２１０が、それが設定する（複数の）測定のセットを準備する、変更する、又は解除することを目的としているかどうかを示す値を包含する測定命令ＩＥ２１２を含み得る。実施例は、この文脈に限定されない。
【００１８】
各種の実施例において、測定制御メッセージ２１０は、周波数内測定ＩＥ２１４を含み得る。いくつかの実施例において、測定制御メッセージ２１０における周波数内測定ＩＥ２１４の存在は、測定制御メッセージ２１０を通して設定される（複数の）測定が周波数内測定であるという指示を構成し得る。各種の実施例において、周波数内測定ＩＥ２１４は、１つ又は複数のパラメータを指定する情報を含むことができ、ＵＥ１０６は、そのパラメータに従って１つ又は複数の周波数内測定を実行することになる。
【００１９】
いくつかの実施例において、周波数内測定ＩＥ２１４は、同様に、１つ又は複数のパラメータを指定する情報を含むことができ、ＵＥ１０６は、そのパラメータに従って周波数内事象評価及び／又は測定報告を実行することになる。各種の実施例において、例えば、周波数内測定ＩＥ２１４は、ＵＥ１０６が測定制御メッセージ２１０により設定される周波数内測定に基づいて事象評価及び測定報告を実行することになる方法の特性を示す情報を包含する測定報告基準ＩＥ２１５を含み得る。いくつかの実施例において、測定報告基準ＩＥ２１５は、周波数内ＤＳＭによりトリガされることができる１つ又は複数の周波数内事象を示す情報を含み得る。各種の実施例において、測定報告基準２１５は、３ＧＰＰ  ＴＳ２５．３３１による“周波数内測定報告基準（Intra-frequency  measurement  reporting  criteria）”ＩＥを含み得る。実施例は、この文脈に限定されない。
【００２０】
いくつかの実施例において、測定報告基準２１５は、ＵＥ１０６が測定制御メッセージ２１０により設定される周波数内ＤＳＭに基づいて事象評価及び測定報告を実行することになる方法の特性を特に示す情報を含み得る。各種の実施例において、測定報告基準２１５は、周波数内ＥＥＢ２１６を含み得る。いくつかの実施例において、周波数内ＥＥＢ２１６は、周波数内ＤＳＭのための事象評価から除外されるべき１つ又は複数のセルのリストを含み得る。各種の実施例において、周波数内ＥＥＢ２１６は、３ＧＰＰ  ＴＳ２５．３３１による“検出セットセルにおいて除外されるべきセル（Cells  to  be  excluded  in  detected  set  cells）”ＩＥを含み得る。実施例は、この文脈に限定されない。
【００２１】
いくつかの実施例において、ＲＮＣからの測定制御メッセージ２１０を受信すると、ＵＥ１０６は、ローカルな周波数内ＥＥＢ２１８が存在するかどうかを判定するように機能し得る。各種の実施例において、ローカルな周波数内ＥＥＢ２１８は、ＲＮＣから受信された命令に基づいてＵＥ１０６が作成し、維持し、及び／又は変更するとともに、ＵＥ１０６が周波数内ＤＳＭ事象評価から除外されるべき検出セットセルを識別するために使用する周波数内ＥＥＢを含み得る。ＲＮＣがローカルな周波数内ＥＥＢ２１８をプロビジョニング／変更するためにＵＥ１０６に送信する周波数内ＥＥＢ２１６のような周波数内ＥＥＢは、“遠隔的に生成された”周波数内ＥＥＢと言われ得る。いくつかの実施例において、ローカルな周波数内ＥＥＢ２１８が存在するという判定に応答して、ＵＥ１０６は、ローカルな周波数内ＥＥＢ２１８の内容を、測定制御メッセージ２１０に含まれる遠隔的に生成された周波数内ＥＥＢ２１６の内容と置き換えるように機能し得る。各種の実施例において、ローカルな周波数内ＥＥＢ２１８が存在しないという判定に応答して、ＵＥ１０６は、ローカルな周波数内ＥＥＢ２１８を作成するとともに、周波数内ＥＥＢ２１６の内容によってそれを満たすように機能し得る。実施例は、この文脈に限定されない。
【００２２】
いくつかの実施例において、ＵＥ１０６は、測定制御メッセージ２１０において指定されたパラメータに従ってそれ以降周波数内測定を実行するように機能し得る。各種の実施例において、周波数内測定は、周波数内ＤＳＭを含み得る。いくつかの実施例において、ＵＥ１０６は、それらの周波数内ＤＳＭに基づいて事象評価を実行するように設定され得る。各種の実施例において、ＵＥ１０６は、事象評価から、ローカルな周波数内ＥＥＢ２１８に含まれる１つ又は複数の周波数内検出セットセルを除外するように設定され得る。測定制御メッセージ２１０の受信に応答してローカルな周波数内ＥＥＢ２１８を作成するいくつかの実施例において、ＵＥ１０６は、測定制御メッセージ２１０と関連付けられた測定識別子が解放されるまで、ローカルな周波数内ＥＥＢ２１８を維持するとともに適用し得る。他のそのような実施例において、ＵＥ１０６は、使用済み周波数に対して設定された測定対象と関連付けられた全ての測定識別子が解放されるまで、ローカルな周波数内ＥＥＢ２１８を維持するとともに適用し得る。測定制御メッセージ２１０の受信に応答してローカルな周波数内ＥＥＢ２１８を作成する各種の実施例において、使用済み周波数と関連付けられた与えられた測定識別子を識別する解放通知メッセージのその後の受信に際し、ＵＥ１０６は、もし与えられた測定識別子が測定識別子２１１と異なると判定するならば、ローカルな周波数内ＥＥＢ２１８を維持するように機能し得る。実施例は、この文脈に限定されない。
【００２３】
いくつかの実施例において、ＵＥ１０６は、デュアルセル高速アップリンクパケットアクセス（ＤＣ−ＨＳＵＰＡ）が可能なＵＥを含み得る。様々なそのような実施例において、ＵＥ１０６の二次アップリンク（ＵＬ）周波数と関連付けられたダウンリンク（ＤＬ）周波数に関する測定は、周波数内測定ＩＥ２１４のような周波数内測定ＩＥを通して設定され得る。いくつかの実施例において、ＵＥ１０６は、二次ＵＬ周波数と関連付けられたダウンリンク（ＤＬ）周波数に関する測定に、周波数内ＥＥＢ２１６、又はあらゆる周波数内ＥＥＢを適用しないように設定され得る。実施例は、この文脈に限定されない。
【００２４】
図３は、各種の実施例における検出セット事象評価のためのブラックリスト化技術の適用と併せてＲＮＣと図１のＵＥ１０６との間で通信が交換され得る動作環境３００の一例を例示する。動作環境３００において、ＲＮＣは、１つ又は複数の周波数間測定（inter-frequency  measurement）を実行するようにＵＥ１０６を設定するために、測定制御メッセージ３２０をＵＥ１０６に送信し得る。いくつかの実施例において、測定制御メッセージ３２０は、１つ又は複数の周波数間ＤＳＭを実行するようにＵＥ１０６を設定し得る。各種の実施例において、測定制御メッセージ３２０は、同様に、ＵＥ１０６の周波数間ＤＳＭに基づいて、１つ又は複数の事象評価を実行するようにＵＥ１０６を設定し得る。いくつかの実施例において、測定制御メッセージ３２０は、３ＧＰＰ  ＴＳ２５．３３１による“測定制御（MEASUREMENT  CONTROL）”メッセージを含み得る。各種の実施例において、ＲＮＣは、ＤＣＣＨを介して測定制御メッセージ３２０をＵＥ１０６に送信するように機能し得る。実施例は、この文脈に限定されない。
【００２５】
いくつかの実施例において、測定制御メッセージ３２０は、測定識別子３２１を含み得る。各種の実施例において、測定識別子３２１は、測定制御メッセージ３２０により設定される（複数の）測定のセットと関連付けられた識別子を包含するＩＥを含み得る。いくつかの実施例において、測定制御メッセージ３２０は、測定制御メッセージ３２０が、それが設定する（複数の）測定のセットを準備する、変更する、又は解除することを目的としているかどうかを示す値を包含する測定命令ＩＥ３２２を含み得る。実施例は、この文脈に限定されない。
【００２６】
各種の実施例において、測定制御メッセージ３２０は、周波数間測定ＩＥ３２４を含み得る。いくつかの実施例において、測定制御メッセージ３２０における周波数間測定ＩＥ３２４の存在は、測定制御メッセージ３２０を通して設定される（複数の）測定が周波数間測定であるという指示を構成し得る。各種の実施例において、周波数間測定ＩＥ３２４は、１つ又は複数のパラメータを指定する情報を含むことができ、ＵＥ１０６は、そのパラメータに従って１つ又は複数の周波数間測定を実行することになる。
【００２７】
いくつかの実施例において、周波数間測定ＩＥ３２４は、同様に、１つ又は複数のパラメータを指定する情報を含むことができ、ＵＥ１０６は、そのパラメータに従って周波数間事象評価及び／又は測定報告を実行することになる。各種の実施例において、例えば、周波数間測定ＩＥ３２４は、ＵＥ１０６が測定制御メッセージ３２０により設定される周波数間測定に基づいて事象評価及び測定報告を実行することになる方法の特性を示す情報を包含する測定報告基準ＩＥ３２５を含み得る。いくつかの実施例において、測定報告基準ＩＥ３２５は、周波数間ＤＳＭによりトリガされることができる１つ又は複数の周波数間事象を示す情報を含み得る。各種の実施例において、測定報告基準ＩＥ３２５は、３ＧＰＰ  ＴＳ２５．３３１による“周波数間測定報告基準（inter-frequency  measurement  reporting  criteria）”ＩＥを含み得る。実施例は、この文脈に限定されない。
【００２８】
いくつかの実施例において、測定報告基準３２５は、ＵＥ１０６が測定制御メッセージ３２０により設定される周波数間ＤＳＭに基づいて事象評価及び測定報告を実行することになる方法の特性を特に示す情報を含み得る。各種の実施例において、測定報告基準３２５は、周波数間ＥＥＢ３２６を含み得る。いくつかの実施例において、周波数間ＥＥＢ３２６は、周波数間ＤＳＭのための事象評価から除外されるべき１つ又は複数のセルのリストを含み得る。各種の実施例において、周波数間ＥＥＢ３２６は、３ＧＰＰ  ＴＳ２５．３３１による“未使用周波数検出セルにおいて除外されるべきセル（Cells  to  be  excluded  in  non-used  frequency  detected  cells）”ＩＥを含み得る。実施例は、この文脈に限定されない。
【００２９】
いくつかの実施例において、ＵＥ１０６は、ＵＥ１０６の異なる未使用周波数とそれぞれ対応する、複数の周波数間ＥＥＢを認識して、維持して、適用する能力を設定され得る。したがって、各種の実施例において、ＲＮＣは、周波数情報（frequency  information）ＩＥ３２７を測定報告基準３２５に含むように機能し得るとともに、周波数情報ＩＥ３２７は、周波数間ＥＥＢ３２６が対応する特定の未使用周波数ｆＡを識別する情報を含み得る。いくつかのそのような実施例において、周波数情報ＩＥ３２７は、ｆＡに対する周波数インデックスを含み得る。実施例は、この文脈に限定されない。
【００３０】
各種の実施例において、ＲＮＣからの測定制御メッセージ３２０を受信すると、ＵＥ１０６は、ローカルな周波数間ＥＥＢがｆＡのために存在するかどうかを判定するように機能し得る。いくつかの実施例において、ＵＥ１０６は、周波数情報ＩＥ３２７に基づいてｆＡを識別するように機能し得る。各種の実施例において、単一のローカルな周波数間ＥＥＢ３２８がＵＥ１０６において存在し得るとともに、ＵＥ１０６は、ローカルな周波数間ＥＥＢがｆＡのために存在するかどうかを、その単一のローカルな周波数間ＥＥＢ３２８がｆＡに適用されるかどうかに基づいて判定し得る。いくつかの実施例において、複数のローカルな周波数間ＥＥＢがＵＥ１０６において存在し得るとともに、ＵＥ１０６は、ローカルな周波数間ＥＥＢがｆＡのために存在するかどうかを、複数のローカルな周波数間ＥＥＢのうちのいずれかがｆＡに適用されるかどうかに基づいて判定し得る。一例の実施例において、周波数ｆ１に適用されるローカルな周波数間ＥＥＢ３２８が存在することができ、周波数ｆ２に適用されるローカルな周波数間ＥＥＢ３２９が存在することができ、ＵＥ１０６は、もしｆ１又はｆ２のいずれかがｆＡに適合するならば、ローカルな周波数間ＥＥＢがｆＡのために存在すると判定し得る。実施例は、この実例に限定されない。
【００３１】
各種の実施例において、ローカルな周波数間ＥＥＢがｆＡのために存在するという判定に応答して、ＵＥ１０６は、そのローカルな周波数間ＥＥＢの内容を測定制御メッセージ３２０に含まれる遠隔的に生成された周波数間ＥＥＢ３２６の内容と置き換えるように機能し得る。例えば、既存のローカルな周波数間ＥＥＢ３２９がｆＡに適用されるという判定に応答して、ＵＥ１０６は、既存のローカルな周波数間ＥＥＢ３２９の内容を周波数間ＥＥＢ３２６の内容と置き換えるように機能し得る。いくつかの実施例において、ローカルな周波数間ＥＥＢがｆＡのために存在しないという判定に応答して、ＵＥ１０６は、ｆＡのためのローカルな周波数間ＥＥＢを作成するとともに、周波数間ＥＥＢ３２６の内容によってそれを満たすように機能し得る。例えば、唯一の既存のローカルな周波数間ＥＥＢ３２８がｆＡに適用されないという判定に応答して、ＵＥ１０６は、ローカルな周波数間ＥＥＢ３２９を作成するとともに、周波数間ＥＥＢ３２６の内容によってそれを満たすように機能し得る。実施例は、これらの実例に限定されない。
【００３２】
各種の実施例において、ＵＥ１０６は、測定制御メッセージ３２０において指定されたパラメータに従ってそれ以降周波数間測定を実行するように機能し得る。いくつかの実施例において、周波数間測定は、周波数ｆＡに対して実行される周波数間ＤＳＭを含み得る。各種の実施例において、ＵＥ１０６は、それらの周波数間ＤＳＭに基づいて事象評価を実行するように設定され得る。いくつかの実施例において、ＵＥ１０６は、周波数ｆＡに対して実行される周波数間ＤＳＭに基づいて行なう事象評価から、ローカルな周波数間ＥＥＢ３２８又はローカルな周波数間ＥＥＢ３２９のようなローカルな周波数間ＥＥＢに含まれる１つ又は複数の周波数間検出セットセルを除外するように設定され得る。
【００３３】
測定制御メッセージ３２０の受信に応答してローカルな周波数間ＥＥＢを作成する各種の実施例において、ＵＥ１０６は、測定制御メッセージ３２０と関連付けられた測定識別子が解放されるまで、そのローカルな周波数間ＥＥＢを維持するとともに適用し得る。他のそのような実施例において、ＵＥ１０６は、周波数ｆＡに対して設定された測定対象と関連付けられた全ての測定識別子が解放されるまで、そのローカルな周波数間ＥＥＢを維持するとともに適用し得る。測定制御メッセージ３２０の受信に応答してローカルな周波数間ＥＥＢを作成するいくつかの実施例において、周波数ｆＡと関連付けられた与えられた測定識別子を識別する解放通知メッセージのその後の受信に際し、ＵＥ１０６は、もし与えられた測定識別子が測定識別子３２１と異なると判定するならば、そのローカルな周波数内ＥＥＢを維持するように機能し得る。実施例は、この文脈に限定されない。
【００３４】
各種の実施例において、ＲＮＣは、任意の与えられた測定制御メッセージに多くても１つの周波数間ＥＥＢを含むことだけを許可され得るとともに、ＵＥ１０６は、任意の与えられた測定制御メッセージにおける多くても１つの周波数間ＥＥＢを適切に受信することだけができ得る。いくつかのそのような実施例において、ＲＮＣは、それでも、複数の測定制御メッセージを送信することによって、複数の周波数間ＥＥＢをＵＥ１０６に設定することができ得る。様々な他の実施例において、ＲＮＣは、単一の測定制御メッセージに複数の周波数間ＥＥＢを含むことを許可され得るとともに、ＵＥ１０６は、単一の測定制御メッセージにおける複数の周波数間ＥＥＢを適切に受信することができ得る。複数の周波数間ＥＥＢが同じ測定制御メッセージにおいてＵＥ１０６に渡されることができるいくつかの実施例において、ＲＮＣは、それでもなお、複数のそれぞれの周波数間ＥＥＢをＵＥ１０６に渡すために、別々の測定制御メッセージを使用することを選択し得る、ということが認識されることになる。実施例は、この文脈に限定されない。
【００３５】
図２の動作環境２００の考察において以前に言及されたように、各種の実施例において、ＵＥ１０６は、周波数内ＥＥＢを、二次ＵＬ周波数と関連付けられたダウンリンク周波数に対する測定に適用しないように設定され得る。いくつかの実施例において、ＵＥ１０６は、事象評価ブラックリストを、二次ＵＬ周波数と関連付けられたダウンリンク周波数に対する測定に全く適用しないように設定され得る。様々な他の実施例において、ＵＥ１０６は、二次ＵＬ周波数と関連付けられたダウンリンク周波数に対する測定に周波数間ＥＥＢを適用する能力を設定され得る。いくつかの実施例において、ＲＮＣは、測定制御メッセージ３２０のような測定制御メッセージを送信することによって、二次ＵＬ周波数と関連付けられたダウンリンク周波数のための周波数間ＥＥＢを設定し得る。各種の実施例において、例えば、周波数情報ＩＥ３２７は、ＵＥ１０６の二次ＵＬ周波数と関連付けられたダウンリンク周波数に対する周波数インデックスを含み得るとともに、ＵＥ１０６は、測定制御メッセージ３２０の受信に応答して、二次ＵＬ周波数と関連付けられたダウンリンク周波数のためのローカルな周波数間ＥＥＢを作成し得るか、又は変更し得る。実施例は、この文脈に限定されない。
【００３６】
上述の実施例に対する動作は、下記の図面及び添付の実例を参照して更に説明され得る。いくつかの図面は、論理フローを含み得る。ここで提示されたそのような図面は特定の論理フローを含むかもしれないが、論理フローはここで説明された一般的な機能がどのように実施され得るかの実例を単に提供する、ということが認識され得る。さらに、与えられた論理フローは、特に明記しない限り、提示された順序で必ずしも実行される必要があるというわけではない。加えて、与えられた論理フローは、ハードウェアエレメント、プロセッサにより実行されるソフトウェアエレメント、又はそれらエレメントのあらゆる組み合わせによって実施され得る。実施例は、この文脈に限定されない。
【００３７】
図４は、図１、図２、及び／又は図３のＵＥ１０６によりいくつかの実施例において実行され得る動作を代表し得る論理フロー４００を例示する。論理フロー４００において示されたように、無線通信周波数のための遠隔的に選択された事象評価ブラックリストを含む測定制御メッセージが、４０２において受信され得る。例えば、ＵＥ１０６は、無線通信周波数のための遠隔的に選択されたＥＥＢを含む測定制御メッセージをＲＮＣから受信するように機能し得る。４０４において、ローカルなＥＥＢが無線通信周波数のために存在するかどうかが判定され得る。例えば、ＵＥ１０６は、ＲＮＣが遠隔的に生成されたＥＥＢを送信した無線通信周波数のためにローカルなＥＥＢが存在するかどうかを判定するように機能し得る。
【００３８】
もし４０４においてローカルなＥＥＢが無線通信周波数のために存在すると判定されるならば、フローは４０６に移動し得る。４０６において、ローカルなＥＥＢの内容が遠隔的に選択されたＥＥＢの内容と置き換えられ得る。例えば、ＵＥ１０６は、図２のローカルな周波数内ＥＥＢ２１８の内容を周波数内ＥＥＢ２１６の内容と置き換えるように機能し得る。別の実例において、ＵＥ１０６は、ローカルな周波数間ＥＥＢ３２８の内容を周波数間ＥＥＢ３２６の内容と置き換えるように機能し得る。もし４０４においてローカルなＥＥＢが無線通信周波数のために存在しないと判定されるならば、フローは４０８に移動し得る。４０８において、ローカルなＥＥＢが、無線通信周波数のために作成され得るとともに、遠隔的に選択されたＥＥＢの内容を含み得る。例えば、ＵＥ１０６は、図２のローカルな周波数内ＥＥＢ２１８を作成するとともに、周波数内ＥＥＢ２１６の内容によってそれを満たすように機能し得る。別の実例において、ＵＥ１０６は、ローカルな周波数間ＥＥＢ３２８を作成するとともに、周波数間ＥＥＢ３２６の内容によってそれを満たすように機能し得る。４０６又は４０８のいずれかから、フローは４１０に移動し得る。
【００３９】
４１０において、ローカルなＥＥＢにおいて識別されている（複数の）検出セットセルが１つ又は複数の事象評価から除外され得る。例えば、ＵＥ１０６は、１つ又は複数の周波数内事象評価から、図２のローカルな周波数内ＥＥＢ２１８において識別されている（複数の）周波数内検出セットセルを除外するように機能し得る。別の実例において、ＵＥ１０６は、１つ又は複数の周波数間事象評価から、図３のローカルな周波数間ＥＥＢ３２８において識別されている（複数の）周波数間検出セットセルを除外するように機能し得る。実施例は、これらの実例に限定されない。
【００４０】
図５は、図１、図２、及び図３のＵＥ１０６により各種の実施例において実行され得る動作を代表し得る論理フロー５００を例示する。論理フロー５００において示されたように、周波数間ＥＥＢ、及び周波数間ＥＥＢが適用される周波数を示すＩＥを含む測定制御メッセージが、５０２において受信され得る。例えば、ＵＥ１０６は、図３の測定制御メッセージ３２０を受信するように機能することができ、測定制御メッセージ３２０は、周波数間ＥＥＢ３２６及び周波数情報ＩＥ３２７を含み得る。５０４において、ローカルな周波数間ＥＥＢがＩＥによって示された周波数のために存在するかどうかが判定され得る。例えば、ＵＥ１０６は、ローカルな周波数間ＥＥＢが周波数情報ＩＥ３２７によって示された周波数のために存在するかどうかを判定するように機能し得る。
【００４１】
もし５０４においてローカルな周波数間ＥＥＢが示された周波数のために存在すると判定されるならば、フローは５０６に移動し得る。５０６において、ローカルな周波数間ＥＥＢの内容が、測定制御メッセージに含まれる周波数間ＥＥＢの内容と置き換えられ得る。例えば、図３のローカルな周波数間ＥＥＢ３２８が周波数情報ＩＥ３２７によって示された周波数に適用されるという判定に続いて、ＵＥ１０６は、ローカルな周波数間ＥＥＢ３２８の内容を周波数間ＥＥＢ３２６の内容と置き換えるように機能し得る。もし５０４においてローカルな周波数間ＥＥＢが示された周波数のために存在しないと判定されるならば、フローは５０８に移動し得る。５０８において、ローカルな周波数間ＥＥＢが示された周波数のために作成され得る。例えば、図３のローカルな周波数間ＥＥＢ３２８が周波数情報ＩＥ３２７によって示された周波数に適用されないという判定に続いて、ＵＥ１０６は、その周波数のためのローカルな周波数間ＥＥＢ３２９を作成するとともに、周波数間ＥＥＢ３２６の内容によってそれを満たすように機能し得る。５０６又は５０８のいずれかから、フローは５１０に移動し得る。
【００４２】
５１０において、ローカルな周波数間ＥＥＢにおいて識別されている（複数の）検出セットセルが、示された周波数のための１つ又は複数の周波数間測定事象評価から除外され得る。例えば、ＵＥ１０６は、周波数情報ＩＥ３２７によって示された周波数のための１つ又は複数の周波数間事象評価から、図３のローカルな周波数間ＥＥＢ３２８において識別されている（複数の）周波数間検出セットセルを除外するように機能し得る。５１２において、１つ又は複数の検出セットセルが、第２の周波数のためのローカルな周波数間ＥＥＢに基づいて、第２の周波数のための１つ又は複数の周波数間測定事象評価から除外され得る。例えば、図３のローカルな周波数間ＥＥＢ３２９は、ローカルな周波数間ＥＥＢ３２８と異なる周波数と関連付けられ得るとともに、ＵＥ１０６は、ローカルな周波数間ＥＥＢ３２９に基づいて、その異なる周波数のための１つ又は複数の周波数間測定事象評価から１つ又は複数の検出セットセルを除外するように機能し得る。実施例は、これらの実例に限定されない。
【００４３】
図６は、図１、図２、及び図３のＵＥ１０６によりいくつかの実施例において実行され得る動作を代表し得る論理フロー６００を例示する。論理フロー６００において示されたように、１つ又は複数の周波数内検出セットセルのリストを含む周波数内ＥＥＢを包含する測定制御メッセージが、６０２において受信され得る。例えば、ＵＥ１０６は、１つ又は複数の周波数内検出セットセルのリストを含む周波数内ＥＥＢ２１６を包含し得る、図２の測定制御メッセージ２１０を受信するように機能し得る。６０４において、ローカルな周波数内ＥＥＢは、測定制御メッセージに含まれる周波数内ＥＥＢの内容によってプロビジョニングされ得る。例えば、ＵＥ１０６は、図２のローカルな周波数内ＥＥＢ２１８を作成するとともに、周波数内ＥＥＢ２１６の内容によってそれを満たすように機能し得る。別の実例において、ＵＥ１０６は、ローカルな周波数内ＥＥＢ２１８の既存の内容を周波数内ＥＥＢ２１６の内容と置き換えるように機能し得る。
【００４４】
６０６において、周波数内事象評価のセットが実行され得る。例えば、図２の動作環境２００において、ＵＥ１０６は、１つ又は複数の周波数内事象評価のセットを実行するように機能し得る。６０８において、６０２で受信されたリストに含まれる１つ又は複数の周波数内検出セットセルは、周波数内事象評価のセットから除外され得る。例えば、ＵＥ１０６は、１つ又は複数の周波数内事象評価の前述のセットから、図２の周波数内ＥＥＢ２１６に含まれるリストにより識別されている１つ又は複数の周波数内検出セットセルを除外するように機能し得る。実施例は、これらの実例に限定されない。
【００４５】
図７は、記憶媒体７００の実施例を例示する。記憶媒体７００は、光記憶媒体、磁気記憶媒体、又は半導体記憶媒体のようなあらゆる非一時的なコンピュータ読み取り可能記憶媒体又は機械読み取り可能記憶媒体を含み得る。各種の実施例において、記憶媒体７００は、工業製品（article  of  manufacture）を含み得る。いくつかの実施例において、記憶媒体７００は、図４の論理フロー４００、図５の論理フロー５００、及び図６の論理フロー６００のうちの１つ又は複数を実施するためのコンピュータ実行可能命令のようなコンピュータ実行可能命令を格納し得る。コンピュータ読み取り可能記憶媒体又は機械読み取り可能記憶媒体の実例は、揮発性メモリ又は不揮発性メモリ、取り外し可能メモリ又は取り外し不可能メモリ、消去可能メモリ又は消去不能メモリ、書き込み可能メモリ又は再書き込み可能メモリなどを含んでいる、電子データを格納することが可能であるあらゆる有形の媒体を含み得る。コンピュータ実行可能命令の実例は、ソースコード、コンパイルされたコード（compiled  code）、解釈されたコード（interpreted  code）、実行可能コード、静的なコード、動的なコード、オブジェクト指向のコード（object-oriented  code）、視覚的コード（visual  code）などのようなあらゆる適切な種類のコードを含み得る。実施例は、この文脈に限定されない。
【００４６】
図８は、図１、図２、及び図３のＲＮＣとノードＢ１０２、図１、図２、及び図３のＵＥ１０６、図４の論理フロー４００、図５の論理フロー５００、図６の論理フロー６００、及び図７の記憶媒体７００を実施し得る通信装置８００の実施例を例示する。各種の実施例において、装置８００は、論理回路８２８を含み得る。論理回路８２８は、例えば、図１、図２、及び図３のＲＮＣとノードＢ１０２、図１、図２、及び図３のＵＥ１０６、図４の論理フロー４００、図５の論理フロー５００、図６の論理フロー６００について説明された動作を実行する物理的な回路を含み得る。図８において示されるように、実施例は下記の構成に限定されないが、装置８００は、無線通信インタフェース８１０、ベースバンド回路８２０、及び計算プラットフォーム８３０を含み得る。
【００４７】
装置８００は、単一の計算エンティティにおいて、例えば完全に単一の装置内で、図１、図２、及び図３のＲＮＣとノードＢ１０２、図１、図２、及び図３のＵＥ１０６、図４の論理フロー４００、図５の論理フロー５００、図６の論理フロー６００、図７の記憶媒体７００、並びに論理回路８２８のための構造及び／若しくは動作のうちのいくつか又は全部を実施し得る。その代わりに、装置８００は、図１、図２、及び図３のＲＮＣとノードＢ１０２、図１、図２、及び図３のＵＥ１０６、図４の論理フロー４００、図５の論理フロー５００、図６の論理フロー６００、図７の記憶媒体７００、並びに論理回路８２８のための構造及び／若しくは動作のうちの一部を、クライアント−サーバアーキテクチャ、３層アーキテクチャ、Ｎ層アーキテクチャ、密結合又はクラスタ化アーキテクチャ、ピアツーピアアーキテクチャ、マスタ−スレーブアーキテクチャ、共有データベースアーキテクチャ、並びに他のタイプの分散処理システムのような分散システムアーキテクチャを使用して、複数の計算エンティティのいたる所に分配することができる。実施例は、この文脈に限定されない。
【００４８】
実施例は特定の無線の（over-the-air）インタフェース又は変調スキームに全く限定されないが、一実施例において、無線通信インタフェース８１０は、符号分割多重アクセス（Code  Division  Multiple  Access：ＣＤＭＡ）、単一キャリア又はマルチキャリア変調された信号（例えば、相補型符号変調（complementary  code  keying：ＣＣＫ）シンボル、直交周波数分割多重（orthogonal  frequency  division  multiplexing：ＯＦＤＭ）シンボル、及び／又は単一キャリア周波数分割多元接続（single-carrier  frequency  division  multiple  access：ＳＣ−ＦＤＭＡ）シンボルを含んでいる）を送信すること及び／又は受信することに適当なコンポーネント、又はコンポーネントの組み合わせを含み得る。無線通信インタフェース８１０は、例えば、受信機８１２、周波数シンセサイザ８１４、及び／又は送信機８１６を含み得る。無線通信インタフェース８１０は、バイアス制御装置、水晶発振器、及び／又は、１つ若しくは複数のアンテナ８１８−ｆを含み得る。別の実施例において、無線通信インタフェース８１０は、要求どおりに、外部の電圧制御発振器（voltage-controlled  oscillator：ＶＣＯ）、表面弾性波フィルタ、中間周波数（intermediate  frequency：ＩＦ）フィルタ、及び／又はＲＦフィルタを使用し得る。いろいろな可能性があるＲＦインタフェース設計に起因して、ＲＦインタフェース設計の拡張的な説明は省略される。
【００４９】
ベースバンド回路８２０は、受信信号及び／又は送信信号を処理するために、無線通信インタフェース８１０と通信し得るとともに、例えば、受信された信号をダウンコンバートするためのアナログ／デジタル（analog-to-digital）変換器８２２、送信用の信号をアップコンバートするためのデジタル／アナログ（digital-to-analog）変換器８２４を含み得る。さらに、ベースバンド回路８２０は、それぞれの受信信号／送信信号の物理層（physical  layer：ＰＨＹ）リンクレイヤ処理のためのベースバンド又はＰＨＹ処理回路８２６を含み得る。ベースバンド回路８２０は、例えば、媒体アクセス制御（medium  access  control：ＭＡＣ）／データリンク層処理のためのＭＡＣ処理回路８２７を含み得る。ベースバンド回路８２０は、ＭＡＣ処理回路８２７と通信するため、及び／又は、例えば１つ若しくは複数のインタフェース８３４により計算プラットフォーム８３０と通信するためのメモリコントローラ８３２を含み得る。
【００５０】
いくつかの実施例において、ＰＨＹ処理回路８２６は、通信フレームを組み立てる及び／又は分解するために、バッファメモリのような追加の回路と組み合わせてフレーム構築及び／又は検出モジュールを含み得る。その代わりに又はさらに、ＭＡＣ処理回路８２７は、これらの機能のうちのいくつかに関して処理を分担し得るか、又は、ＰＨＹ処理回路８２６から独立してこれらの処理を実行し得る。いくつかの実施例において、ＭＡＣ処理及びＰＨＹ処理は、単一の回路に統合され得る。
【００５１】
計算プラットフォーム８３０は、装置８００に計算機能を提供し得る。図示されるように、計算プラットフォーム８３０は、処理コンポーネント８４０を含み得る。ベースバンド回路８２０に加えて、又はベースバンド回路８２０の代わりに、装置８００は、処理コンポーネント８４０を使用して、図１、図２、及び図３のＲＮＣとノードＢ１０２、図１、図２、及び図３のＵＥ１０６、図４の論理フロー４００、図５の論理フロー５００、図６の論理フロー６００、図７の記憶媒体７００、及び論理回路８２８のための処理操作又は処理ロジックを実行し得る。処理コンポーネント８４０（及び／又はＰＨＹ８２６、及び／又はＭＡＣ８２７）は、様々なハードウェアエレメント、ソフトウェアエレメント、又は両方の組み合わせを含み得る。ハードウェアエレメントの実例は、装置、論理デバイス、コンポーネント、プロセッサ、マイクロプロセッサ、回路、プロセッサ回路、回路素子（例えば、トランジスタ、抵抗器、キャパシタ、インダクタなど）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、メモリユニット、論理ゲート、レジスタ、半導体素子、チップ、マイクロチップ、チップセットなどを含み得る。ソフトウェアエレメントの実例は、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウエア、ミドルウェア、ファームウェア、ソフトウェアモジュール、ルーチン、サブルーチン、ファンクション（機能）、メソッド（方法）、プロシージャ（手順）、ソフトウェアインタフェース、アプリケーションプログラムインタフェース（ＡＰＩ）、命令セット、計算コード、コンピュータコード、コードセグメント、コンピュータコードセグメント、ワード（words）、値（values）、シンボル、又はそれらのあらゆる組み合わせを含み得る。実施例がハードウェアエレメント及び／又はソフトウェアエレメントを使用して実施されるかどうかを判定することは、与えられた実装例に関して要求される所望の計算レート、電力レベル、耐熱性、処理サイクル量、入力データレート、出力データレート、メモリ資源、データバス速度、及び他の設計の制約又は性能の制約のようなあらゆる数の要因に従って変化し得る。
【００５２】
計算プラットフォーム８３０は、他のプラットフォームコンポーネント８５０を更に含み得る。他のプラットフォームコンポーネント８５０は、１つ又は複数のプロセッサ、マルチコアプロセッサ、コプロセッサ、メモリユニット、チップセット、コントローラ、周辺装置、インタフェース、発振器、時間計測器、ビデオカード、オーディオカード、マルチメディア入出力（Ｉ／Ｏ）コンポーネント（例えば、デジタル表示装置）、電源などのような一般的な計算要素を含む。メモリユニットの実例は、限定されることなく、例えば、読み取り専用メモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ、強誘電性ポリマーメモリのようなポリマーメモリ、オボニックメモリ、位相変化又は強誘電性メモリ、シリコン−酸化物−窒化物−酸化物−シリコン（ＳＯＮＯＳ）メモリ、磁気若しくは光学カード、レイド（Redundant  Array  of  Independent  Disk：ＲＡＩＤ）デバイスのようなデバイスのアレイ、ソリッドステートメモリ装置（例えば、ＵＳＢメモリ、ソリッドステートドライブ（ＳＳＤ））、及び情報を格納するのに適しているあらゆる他の種類の記憶媒体のような、１つ又は複数のより高速のメモリユニットの形式の様々な種類のコンピュータ読み取り可能及び機械読み取り可能記憶媒体を含み得る。
【００５３】
装置８００は、例えば、ウルトラモバイルデバイス（ultra-mobile  device）、移動機、固定型装置、マシンツーマシン（machine-to-machine：Ｍ２Ｍ）デバイス、携帯情報端末（personal  digital  assistant：ＰＤＡ）、移動計算装置（mobile  computing  device：モバイルコンピューティング装置）、スマートフォン（smart  phone）、電話、デジタル電話、セルラ電話、ユーザ装置、ｅブックリーダ（eBook  reader）、ハンドセット（handset）、一方向ページャ（one-way  pager）、双方向ページャ（two-way  pager）、メッセージング装置（messaging  device）、コンピュータ、パーソナルコンピュータ（personal  computer：ＰＣ）、デスクトップコンピュータ（desktop  computer）、ラップトップコンピュータ（laptop  computer）、ノートブックコンピュータ（notebook  computer）、ネットブックコンピュータ（netbook  computer）、ハンドヘルドコンピュータ（handheld  computer）、タブレットコンピュータ（tablet  computer）、サーバ、サーバアレイ若しくはサーバファーム、ウェブサーバ、ネットワークサーバ、インターネットサーバ、ワークステーション、ミニコンピュータ（mini-computer）、メインフレームコンピュータ（main  frame  computer）、スーパーコンピュータ（supercomputer）、ネットワークアプライアンス（network  appliance）、ウェブアプライアンス（web  appliance）、分散型計算システム、マルチプロセッサシステム、プロセッサに基づくシステム（processor-based  system）、民生用電子機器（consumer  electronics）、プログラム可能民生用電子機器（programmable  consumer  electronics）、ゲーム機器（game  device）、ディスプレイ、テレビ受信機、デジタルテレビ、セットトップボックス、無線アクセスポイント、基地局、ノードＢ、加入者ステーション、移動加入者センタ（mobile  subscriber  center）、無線ネットワーク制御装置、ルータ、ハブ、ゲートウェイ、ブリッジ、スイッチ、マシン（machine）、又はそれらの組み合わせであり得る。したがって、ここで説明された装置８００の機能及び／又は特定の構成は、適切に要求されるように、装置８００の各種の実施例に含まれ得るか、又は装置８００の各種の実施例において省略され得る。
【００５４】
装置８００の実施例は、単一入力単一出力（single  input  single  output：ＳＩＳＯ）アーキテクチャを使用して実施され得る。しかしながら、いくつかの実装例は、ビームフォーミング若しくは空間分割多元接続（spatial  division  multiple  access：ＳＤＭＡ）のためのアダプティブアンテナ技術を使用するか、並びに／又はＭＩＭＯ通信技術を使用する送信及び／若しくは受信のための複数のアンテナ（例えば、アンテナ８１８−ｆ）を含み得る。
【００５５】
装置８００のコンポーネント及び特徴は、ディスクリート回路、特定用途向け集積回路（ＡＳＩＣ）、ロジックゲート、及び／又はシングルチップアーキテクチャのあらゆる組み合わせを使用して実施され得る。さらに、装置８００の特徴は、マイクロコントローラ、プログラム可能なロジックアレー、及び／若しくはマイクロプロセッサ、又は、適宜適切なこれらのあらゆる組み合わせを使用して実施され得る。ハードウェアエレメント、ファームウェアエレメント、及び／又はソフトウェアエレメントが、ここでは集合的に若しくは個別に“ロジック”又は“回路”として参照され得る、ということは注目に値する。
【００５６】
図８のブロック図において示される代表的な装置８００は多くの潜在的な実装例のうちの一つの機能的に説明的な実例を表し得る、ということが認識されるべきである。したがって、添付の図面において描写されたブロック機能の分割、省略、又は包含は、実施例においてこれらの機能を実装するためのハードウェアコンポーネント、回路、ソフトウェア、及び／若しくはエレメントが必ず分割される、省略される、又は含まれるということを暗示しない。
【００５７】
図９は、広帯域無線アクセスシステム９００の実施例を例示する。図９において示されるように、広帯域無線アクセスシステム９００は、インターネット９１０に対する移動無線アクセス及び／若しくは固定無線アクセスをサポートすることが可能であるインターネット９１０タイプのネットワーク、又は同様のものを含んでいる、インターネットプロトコル（internet  protocol：ＩＰ）タイプのネットワークであり得る。１つ又は複数の実施例において、広帯域無線アクセスシステム９００は、３ＧＰＰ  ＵＭＴＳ仕様書、３ＧＰＰ  ＬＴＥ仕様書、及び／又はＩＥＥＥ８０２．１６標準のうちの１つ若しくは複数に準拠しているシステムのようなあらゆる種類の符号分割多重アクセス（Code  Division  Multiple  Access：ＣＤＭＡ）、周波数分割多元接続（orthogonal  frequency  division  multiple  access：ＯＦＤＭＡ）ベースの、又は単一キャリア周波数分割多元接続（single-carrier  frequency  division  multiple  access：ＳＣ−ＦＤＭＡ）ベースの無線ネットワークを含み得るとともに、権利請求された主題の範囲はこれらの点に限定されない。
【００５８】
代表的な広帯域無線アクセスシステム９００において、１つ若しくは複数の固定型装置９１６とインターネット９１０との間の、及び／又は１つ若しくは複数の移動機９２２とインターネット９１０との間の無線通信を提供するために、無線ネットワーク制御装置（ＲＮＣ）９１２及び９１８は、それぞれ、ノードＢ９１４及び９２０に結合することが可能である。固定型装置９１６及び移動機９２２の一つの実例は、装置８００の固定されたバージョンを含む固定型装置９１６と、装置８００の移動式のバージョンを含む移動機９２２とを含んでいる図８の装置８００である。ＲＮＣ９１２及び９１８は、広帯域無線アクセスシステム９００上の１つ又は複数の物理的エンティティに対するネットワーク機能のマッピングを定義することが可能であるプロファイルを実行し得る。ノードＢ９１４及び９２０は、装置８００を参照して説明されたような、固定型装置９１６及び／又は移動機９２２とのＲＦ通信を提供する無線装置を含み得るとともに、例えば、３ＧＰＰ  ＵＭＴＳ仕様書、３ＧＰＰ  ＬＴＥ仕様書、又はＩＥＥＥ８０２．１６標準に従ったＰＨＹ及びＭＡＣ層装置を含み得る。権利請求された主題の範囲は下記の点に限定されないが、ノードＢ９１４及び９２０は、それぞれＲＡＮ９１２及び９１８を経てインターネット９１０に結合するために、ＩＰバックプレーン（IP  backplane）を更に含み得る。
【００５９】
広帯域無線アクセスシステム９００は、訪問先コアネットワーク（ＣＮ）９２４及び／又はホームＣＮ９２６を更に含むことができ、そのそれぞれは、限定はしないが、プロキシ及び／若しくはリレータイプの機能、例えば、認証、認可及びアカウンティング（ＡＡＡ）機能、動的ホスト構成プロトコル（ＤＨＣＰ）機能、若しくはドメインネームサービス制御若しくは同様のものを含む１つ若しくは複数のネットワーク機能、公衆電話交換網ゲートウェイ若しくはボイスオーバインターネットプロトコル（ＶｏＩＰ）ゲートウェイのようなドメインゲートウェイ、並びに／又はインターネットプロトコル（ＩＰ）タイプサーバ機能、若しくは同様のものを提供することが可能であり得る。しかしながら、これらは、単に、訪問先ＣＮ９２４及び／又はホームＣＮ９２６により提供されることが可能である機能のタイプの実例であり、権利請求された主題の範囲はこれらの点に限定されない。訪問先ＣＮ９２４は、訪問先ＣＮ９２４が固定型装置９１６又は移動機９２２の正規のサービスプロバイダの一部ではない場合、例えば、固定型装置９１６若しくは移動機９２２が、そのそれぞれのホームＣＮ９２６から離れてローミングしている場合か、又は、広帯域無線アクセスシステム９００が固定型装置９１６若しくは移動機９２２の正規のサービスプロバイダの一部であるが、しかし広帯域無線アクセスシステム９００が、固定型装置９１６若しくは移動機９２２の主要な又はホームロケーションではない別の場所又は状態にある場合に、訪問先ＣＮと言われ得る。実施例は、この文脈に限定されない。
【００６０】
固定型装置９１６は、それぞれ、ノードＢ９１４及び９２０、そしてＲＮＣ９１２及び９１８、並びにホームＣＮ９２６を通してインターネット９１０に対するホーム又は会社の顧客のブロードバンド接続を提供するために、ホーム若しくは会社内の、又はホーム若しくは会社の近くのような、ノードＢ９１４及び９２０のうちの１つ又は両方の範囲内のどこにでも位置付けられ得る。固定型装置９１６は一般に固定された場所に配置されるが、固定型装置９１６が必要に応じて異なる場所に動かされ得る、ということは注目に値する。移動機９２２は、もし移動機９２２が例えばノードＢ９１４及び９２０のうちの１つ又は両方の範囲内にあるならば、１つ又は複数の場所で利用され得る。１つ又は複数の実施例によれば、オペレーションサポートシステム（operation  support  system：ＯＳＳ）９２８は、広帯域無線アクセスシステム９００に対して管理機能を提供するとともに、広帯域無線アクセスシステム９００の機能エンティティの間のインタフェースを提供するために、広帯域無線アクセスシステム９００の一部であり得る。図９の広帯域無線アクセスシステム９００は、広帯域無線アクセスシステム９００のいくつかの構成要素を示す無線ネットワークの単に１つの種類であり、権利請求された主題の範囲はこれらの点に限定されない。
【００６１】
各種の実施例は、ハードウェアエレメント、ソフトウェアエレメント、又は両方の組み合わせを用いて実施され得る。ハードウェアエレメントの実例は、プロセッサ、マイクロプロセッサ、回路、回路素子（例えば、トランジスタ、抵抗器、キャパシタ、インダクタなど）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、論理ゲート、レジスタ、半導体素子、チップ、マイクロチップ、チップセットなどを含み得る。ソフトウェアの実例は、ソフトウェアコンポーネント、プログラム、アプリケーション、コンピュータプログラム、アプリケーションプログラム、システムプログラム、マシンプログラム、オペレーティングシステムソフトウエア、ミドルウェア、ファームウェア、ソフトウェアモジュール、ルーチン、サブルーチン、ファンクション（機能）、メソッド（方法）、プロシージャ（手順）、ソフトウェアインタフェース、アプリケーションプログラムインタフェース（ＡＰＩ）、命令セット、計算コード、コンピュータコード、コードセグメント、コンピュータコードセグメント、ワード（words）、値（values）、シンボル、又はそれらのあらゆる組み合わせを含み得る。実施例がハードウェアエレメント及び／又はソフトウェアエレメントを使用して実施されるかどうかを判定することは、所望の計算レート、電力レベル、耐熱性、処理サイクル量、入力データレート、出力データレート、メモリ資源、データバス速度、及び他の設計の制約又は性能の制約のようなあらゆる数の要因に従って変化し得る。
【００６２】
少なくとも一実施例の１つ又は複数の態様は、プロセッサ内部の様々なロジックを表し、機械によって読まれたときに機械にここで説明された技術を実行するためのロジックを構築させる、機械読み取り可能媒体に格納される代表的な命令によって実行され得る。“ＩＰコア”として知られているそのような表現は、有形の機械読み取り可能媒体に格納され得るとともに、ロジック又はプロセッサを実際に作る製作機械（fabrication  machine）に読み込むために、様々な顧客又は製造施設に供給され得る。いくつかの実施例は、例えば、機械により実行されたならば、実施例に従って機械に方法及び／又は動作を遂行させ得る命令又は一組の命令を格納し得る機械読み取り可能媒体又は物品を使用して実施され得る。そのような機械は、例えば、あらゆる適切な処理プラットフォーム、計算プラットフォーム、計算装置、処理装置、計算システム、処理システム、コンピュータ、プロセッサ、又は同様のものを含み得るとともに、ハードウェア及び／若しくはソフトウェアのあらゆる適切な組み合わせを用いて実施され得る。機械読み取り可能媒体又は物品は、例えば、あらゆる適切な種類のメモリユニット、メモリ装置、メモリ物品、メモリ媒体、記憶装置、記憶物品、記憶媒体、及び／又は記憶ユニット、例えば、メモリ、取り外し可能若しくは取り外し不可能媒体、消去可能若しくは消去不能媒体、書き込み可能若しくは再書き込み可能媒体、デジタル若しくはアナログ媒体、ハードディスク、フロッピー（登録商標）ディスク、コンパクトディスクリードオンリメモリ（Compact  Disk  Read  Only  Memory：ＣＤ−ＲＯＭ）、コンパクトディスクレコーダブル（Compact  Disk  Recordable：ＣＤ−Ｒ）、コンパクトディスクリライタブル（Compact  Disk  Rewriteable：ＣＤ−ＲＷ）、光ディスク、磁気媒体、光磁気媒体、取り外し可能メモリカード若しくはディスク、様々な種類のデジタル多目的ディスク（Digital  Versatile  Disk：ＤＶＤ）、テープ、カセット、又は同様のものを含み得る。命令は、あらゆる適切な高水準プログラミング言語、低水準プログラミング言語、オブジェクト指向プログラミング言語、ビジュアル（visual）プログラミング言語、コンパイルされたプログラミング言語、及び／又は解釈されたプログラミング言語を使用して実装されるソースコード、コンパイルされたコード、解釈されたコード、実行可能コード、静的なコード、動的なコード、暗号化されたコードなどのようなあらゆる適切な種類のコードを含み得る。
【００６３】
下記の実例は、更なる実施例と関係がある。
【００６４】
実例１は、ユーザ装置（ＵＥ）であって、少なくとも一部分がハードウェアに存在するロジックを備え、上記ロジックは、無線通信周波数のための遠隔的に選択された事象評価ブラックリスト（ＥＥＢ）を含む測定制御メッセージを受信し、ローカルなＥＥＢが上記無線通信周波数のために存在するかどうかを判定するとともに、ローカルなＥＥＢが上記無線通信周波数のために存在するという判定に応答して、上記ローカルなＥＥＢの内容を上記遠隔的に選択されたＥＥＢの内容と置き換える。
【００６５】
実例２は、実例１のＵＥであって、上記ロジックは、ローカルなＥＥＢが上記無線通信周波数のために存在しないという判定に応答して、上記無線通信周波数のためのローカルなＥＥＢを作成し、上記ローカルなＥＥＢは、上記遠隔的に選択されたＥＥＢの内容を含む。
【００６６】
実例３は、実例１のＵＥであって、上記無線通信周波数は、当該ＵＥの未使用周波数を含み、上記測定制御メッセージは、上記遠隔的に選択されたＥＥＢを包含する周波数間測定報告基準情報要素（ＩＥ）を含む。
【００６７】
実例４は、実例３のＵＥであって、上記周波数間測定報告基準ＩＥは、上記遠隔的に選択されたＥＥＢが上記未使用周波数に適用されることを示す周波数情報ＩＥを含む。
【００６８】
実例５は、実例４のＵＥであって、上記周波数間測定報告基準ＩＥは、当該ＵＥの第２の未使用周波数に適用される第２の遠隔的に選択されたＥＥＢを含み、上記周波数情報ＩＥは、上記第２の遠隔的に選択されたＥＥＢが上記第２の未使用周波数に適用されることを示す。
【００６９】
実例６は、実例１のＵＥであって、上記無線通信周波数は、当該ＵＥの二次アップリンク（ＵＬ）周波数を含み、上記測定制御メッセージは、上記遠隔的に選択されたＥＥＢを包含する周波数間測定報告基準情報要素（ＩＥ）を含む。
【００７０】
実例７は、実例１のＵＥであって、上記無線通信周波数は、当該ＵＥの使用済み周波数を含み、上記測定制御メッセージは、上記遠隔的に選択されたＥＥＢを包含する周波数内測定報告基準情報要素（ＩＥ）を含む。
【００７１】
実例８は、実例１のＵＥであって、上記ロジックは、上記無線通信周波数のために設定される１つ又は複数の測定と関連付けられた測定識別子の解放を示す解放通知を受信するとともに、上記測定識別子が上記測定制御メッセージと関連付けられた測定識別子と異なるという判定に応答して、上記ローカルなＥＥＢを維持する。
【００７２】
実例９は、実例１から実例８のいずれかのＵＥであって、少なくとも１つの無線周波数（ＲＦ）トランシーバ及び少なくとも１つのＲＦアンテナを備える。
【００７３】
実例１０は、実例９のＵＥであって、タッチスクリーンディスプレイを備える。
【００７４】
実例１１は、少なくとも１つの非一時的なコンピュータ読み取り可能な記憶媒体であって、ユーザ装置（ＵＥ）上で実行されることに応答して、上記ＵＥに、１つ又は複数の検出セットセルを識別する周波数間事象評価ブラックリスト、及び上記周波数間事象評価ブラックリストが適用される周波数を示す情報要素（ＩＥ）を含む測定制御メッセージを、ダウンリンク制御チャネル（ＤＣＣＨ）を介して受信させ、上記の示された周波数のための１つ又は複数の周波数間測定事象評価から上記１つ又は複数の検出セットセルを除外させる無線通信命令のセットを含む。
【００７５】
実例１２は、実例１１の少なくとも１つの非一時的なコンピュータ読み取り可能な記憶媒体であって、上記周波数間事象評価ブラックリストは、“未使用周波数検出セルにおいて除外されるべきセル”ＩＥに含まれる。
【００７６】
実例１３は、実例１１の少なくとも１つの非一時的なコンピュータ読み取り可能な記憶媒体であって、上記ＵＥ上で実行されることに応答して、上記ＵＥに、上記測定制御メッセージの受信に応答してローカルな周波数間事象評価ブラックリストが上記の示された周波数のために存在するかどうかを判定させるとともに、ローカルな周波数間事象評価ブラックリストが上記の示された周波数のために存在するという判定に応答して、上記ローカルな周波数間事象評価ブラックリストの内容を上記測定制御メッセージに含まれる上記周波数間事象評価ブラックリストの内容と置き換えさせる無線通信命令を含む。
【００７７】
実例１４は、実例１３の少なくとも１つの非一時的なコンピュータ読み取り可能な記憶媒体であって、上記ＵＥ上で実行されることに応答して、上記ＵＥに、ローカルな周波数間事象評価ブラックリストが上記の示された周波数のために存在しないという判定に応答して、上記の示された周波数のためのローカルな周波数間事象評価ブラックリストを作成させる無線通信命令を含む。
【００７８】
実例１５は、実例１１の少なくとも１つの非一時的なコンピュータ読み取り可能な記憶媒体であって、上記測定制御メッセージは、上記の示された周波数を含む周波数情報ＩＥを包含する“周波数間測定報告基準”ＩＥを含む。
【００７９】
実例１６は、実例１１の少なくとも１つの非一時的なコンピュータ読み取り可能な記憶媒体であって、上記の示された周波数は、上記ＵＥの未使用周波数を含む。
【００８０】
実例１７は、実例１１の少なくとも１つの非一時的なコンピュータ読み取り可能な記憶媒体であって、上記の示された周波数は、上記ＵＥの二次アップリンク（ＵＬ）周波数を含む。
【００８１】
実例１８は、実例１１の少なくとも１つの非一時的なコンピュータ読み取り可能な記憶媒体であって、上記ＵＥ上で実行されることに応答して、上記ＵＥに、第２の周波数のための１つ又は複数の周波数間測定事象評価から、上記第２の周波数のためのローカルな事象評価ブラックリストに基づいて、１つ又は複数の検出セットセルを除外させる無線通信命令を含む。
【００８２】
実例１９は、無線通信方法であって、ユーザ装置（ＵＥ）において、１つ又は複数の周波数内検出セットセルのリストを含む周波数内事象評価ブラックリスト（ＥＥＢ）を包含する測定制御メッセージを受信するステップと、上記測定制御メッセージに含まれる上記周波数内ＥＥＢの内容によってローカルな周波数内ＥＥＢをプロビジョニングするステップと、上記ＵＥのロジック回路によって周波数内事象評価のセットを実行するステップと、上記周波数内事象評価のセットから上記１つ又は複数の周波数内検出セットセルを除外するステップとを含む。
【００８３】
実例２０は、実例１９の無線通信方法であって、上記ローカルな周波数内ＥＥＢのプロビジョニングは、上記ローカルな周波数内ＥＥＢを作成することを含む。
【００８４】
実例２１は、実例１９の無線通信方法であって、上記ローカルな周波数内ＥＥＢのプロビジョニングは、上記ローカルな周波数内ＥＥＢの既存の内容を、上記測定制御メッセージに含まれる上記周波数内ＥＥＢの内容と置き換えることを含む。
【００８５】
実例２２は、実例１９の無線通信方法であって、上記周波数内ＥＥＢは、“検出セットセルにおいて除外されるべきセル”情報要素（ＩＥ）を含む。
【００８６】
実例２３は、実例１９の無線通信方法であって、上記周波数内事象評価のセットは、第３世代パートナシッププロジェクト（３ＧＰＰ）技術仕様書２５．３３１バージョン１１．９．０に従った周波数内測定事象１ａ、１ｄ及び１ｅのうちの１つ又は複数の評価を含む。
【００８７】
実例２４は、実例１９の無線通信方法であって、設定された周波数内測定のセットが解放されるべきであることを示すとともに、上記設定された周波数内測定のセットと関連付けられた測定識別子（ＩＤ）を識別する測定解放メッセージを受信するステップと、上記設定された周波数内測定のセットと関連付けられた上記測定ＩＤが上記測定制御メッセージに含まれる測定ＩＤに適合しないという判定に応答して、上記ローカルな周波数内ＥＥＢを維持するステップとを含む。
【００８８】
実例２５は、実例１９の無線通信方法であって、上記測定制御メッセージは、上記周波数内ＥＥＢを包含する周波数内測定報告基準情報要素（ＩＥ）を含む。
【００８９】
実例２６は、実例１９の無線通信方法であって、上記ＵＥの二次アップリンク（ＵＬ）周波数のためのＥＥＢを含む第２の測定制御メッセージを受信するステップと、上記二次ＵＬ周波数のための上記ＥＥＢの内容によってローカルな周波数間ＥＥＢをプロビジョニングするステップとを含む。
【００９０】
実例２７は、少なくとも１つの非一時的なコンピュータ読み取り可能な記憶媒体であって、コンピューティング装置上で実行されることに応答して、上記コンピューティング装置に実例１９から実例２６のいずれかによる無線通信方法を実行させる命令のセットを含む。
【００９１】
実例２８は、装置であって、実例１９から実例２６のいずれかによる無線通信方法を実行するための手段を備える。
【００９２】
実例２９は、システムであって、実例２８による装置、少なくとも１つの無線周波数（ＲＦ）トランシーバ及び少なくとも１つのＲＦアンテナを備える。
【００９３】
実例３０は、実例２９のシステムであって、タッチスクリーンディスプレイを備える。
【００９４】
実例３１は、ユーザ装置（ＵＥ）であって、１つ又は複数の検出セットセルを識別する周波数間事象評価ブラックリスト、及び上記周波数間事象評価ブラックリストが適用される周波数を示す情報要素（ＩＥ）を含む測定制御メッセージを、ダウンリンク制御チャネル（ＤＣＣＨ）を介して受信するための手段と、上記の示された周波数のための１つ又は複数の周波数間測定事象評価から上記１つ又は複数の検出セットセルを除外するための手段とを備える。
【００９５】
実例３２は、実例３１のＵＥであって、上記周波数間事象評価ブラックリストは、“未使用周波数検出セルにおいて除外されるべきセル”ＩＥに含まれる。
【００９６】
実例３３は、実例３１のＵＥであって、上記測定制御メッセージの受信に応答してローカルな周波数間事象評価ブラックリストが上記の示された周波数のために存在するかどうかを判定するための手段と、ローカルな周波数間事象評価ブラックリストが上記の示された周波数のために存在するという判定に応答して、上記ローカルな周波数間事象評価ブラックリストの内容を上記測定制御メッセージに含まれる上記周波数間事象評価ブラックリストの内容と置き換えるための手段とを備える。
【００９７】
実例３４は、実例３３のＵＥであって、ローカルな周波数間事象評価ブラックリストが上記の示された周波数のために存在しないという判定に応答して、上記の示された周波数のためのローカルな周波数間事象評価ブラックリストを作成するための手段を備える。
【００９８】
実例３５は、実例３１のＵＥであって、上記測定制御メッセージは、上記の示された周波数を含む周波数情報ＩＥを包含する“周波数間測定報告基準”ＩＥを含む。
【００９９】
実例３６は、実例３１のＵＥであって、上記の示された周波数は、当該ＵＥの未使用周波数を含む。
【０１００】
実例３７は、実例３１のＵＥであって、上記の示された周波数は、当該ＵＥの二次アップリンク（ＵＬ）周波数を含む。
【０１０１】
実例３８は、実例３１のＵＥであって、第２の周波数のための１つ又は複数の周波数間測定事象評価から、上記第２の周波数のためのローカルな事象評価ブラックリストに基づいて、１つ又は複数の検出セットセルを除外するための手段を備える。
【０１０２】
実例３２は、実例３１から実例３８のいずれかのＵＥであって、少なくとも１つの無線周波数（ＲＦ）トランシーバ及び少なくとも１つのＲＦアンテナを備える。
【０１０３】
実例４０は、実例３９のＵＥであって、タッチスクリーンディスプレイを備える。
【０１０４】
実例４１は、少なくとも１つの非一時的なコンピュータ読み取り可能な記憶媒体であって、ユーザ装置（ＵＥ）上で実行されることに応答して、上記ＵＥに、１つ又は複数の周波数内検出セットセルのリストを含む周波数内事象評価ブラックリスト（ＥＥＢ）を包含する測定制御メッセージを受信させ、上記測定制御メッセージに含まれる上記周波数内ＥＥＢの内容によってローカルな周波数内ＥＥＢをプロビジョニングさせ、周波数内事象評価のセットを実行させるとともに、上記周波数内事象評価のセットから上記１つ又は複数の周波数内検出セットセルを除外させる無線通信命令のセットを含む。
【０１０５】
実例４２は、実例４１の少なくとも１つの非一時的なコンピュータ読み取り可能な記憶媒体であって、上記ローカルな周波数内ＥＥＢのプロビジョニングは、上記ローカルな周波数内ＥＥＢを作成することを含む。
【０１０６】
実例４３は、実例４１の少なくとも１つの非一時的なコンピュータ読み取り可能な記憶媒体であって、上記ローカルな周波数内ＥＥＢのプロビジョニングは、上記ローカルな周波数内ＥＥＢの既存の内容を、上記測定制御メッセージに含まれる上記周波数内ＥＥＢの内容と置き換えることを含む。
【０１０７】
実例４４は、実例４１の少なくとも１つの非一時的なコンピュータ読み取り可能な記憶媒体であって、上記周波数内ＥＥＢは、“検出セットセルにおいて除外されるべきセル”情報要素（ＩＥ）を含む。
【０１０８】
実例４５は、実例４１の少なくとも１つの非一時的なコンピュータ読み取り可能な記憶媒体であって、上記周波数内事象評価のセットは、第３世代パートナシッププロジェクト（３ＧＰＰ）技術仕様書２５．３３１バージョン１１．９．０に従った周波数内測定事象１ａ、１ｄ及び１ｅのうちの１つ又は複数の評価を含む。
【０１０９】
実例４６は、実例４１の少なくとも１つの非一時的なコンピュータ読み取り可能な記憶媒体であって、上記ＵＥ上で実行されることに応答して、上記ＵＥに、設定された周波数内測定のセットが解放されるべきであることを示すとともに、上記設定された周波数内測定のセットと関連付けられた測定識別子（ＩＤ）を識別する測定解放メッセージを受信させるとともに、上記設定された周波数内測定のセットと関連付けられた上記測定ＩＤが上記測定制御メッセージに含まれる測定ＩＤに適合しないという判定に応答して、上記ローカルな周波数内ＥＥＢを維持させる無線通信命令を含む。
【０１１０】
実例４７は、実例４１の少なくとも１つの非一時的なコンピュータ読み取り可能な記憶媒体であって、上記測定制御メッセージは、上記周波数内ＥＥＢを包含する周波数内測定報告基準情報要素（ＩＥ）を含む。
【０１１１】
実例４８は、実例４１の少なくとも１つの非一時的なコンピュータ読み取り可能な記憶媒体であって、上記ＵＥ上で実行されることに応答して、上記ＵＥに、上記ＵＥの二次アップリンク（ＵＬ）周波数のためのＥＥＢを含む第２の測定制御メッセージを受信させるとともに、上記二次ＵＬ周波数のための上記ＥＥＢの内容によってローカルな周波数間ＥＥＢをプロビジョニングさせる無線通信命令を含む。
【０１１２】
実例４９は、無線通信方法であって、無線通信周波数のための遠隔的に選択された事象評価ブラックリスト（ＥＥＢ）を含む測定制御メッセージを受信するステップと、処理回路によってローカルなＥＥＢが上記無線通信周波数のために存在するかどうかを判定するステップと、ローカルなＥＥＢが上記無線通信周波数のために存在するという判定に応答して、上記ローカルなＥＥＢの内容を上記遠隔的に選択されたＥＥＢの内容と置き換えるステップとを含む。
【０１１３】
実例５０は、実例４９の無線通信方法であって、ローカルなＥＥＢが上記無線通信周波数のために存在しないという判定に応答して、上記無線通信周波数のためのローカルなＥＥＢを作成するステップを含み、上記ローカルなＥＥＢは、上記遠隔的に選択されたＥＥＢの内容を含む。
【０１１４】
実例５１は、実例４９の無線通信方法であって、上記無線通信周波数は、上記ＵＥの未使用周波数を含み、上記測定制御メッセージは、上記遠隔的に選択されたＥＥＢを包含する周波数間測定報告基準情報要素（ＩＥ）を含む。
【０１１５】
実例５２は、実例５１の無線通信方法であって、上記周波数間測定報告基準ＩＥは、上記遠隔的に選択されたＥＥＢが上記未使用周波数に適用されることを示す周波数情報ＩＥを含む。
【０１１６】
実例５３は、実例５２の無線通信方法であって、上記周波数間測定報告基準ＩＥは、上記ＵＥの第２の未使用周波数に適用される第２の遠隔的に選択されたＥＥＢを含み、上記周波数情報ＩＥは、上記第２の遠隔的に選択されたＥＥＢが上記第２の未使用周波数に適用されることを示す。
【０１１７】
実例５４は、実例４９の無線通信方法であって、上記無線通信周波数は、上記ＵＥの二次アップリンク（ＵＬ）周波数を含み、上記測定制御メッセージは、上記遠隔的に選択されたＥＥＢを包含する周波数間測定報告基準情報要素（ＩＥ）を含む。
【０１１８】
実例５５は、実例４９の無線通信方法であって、上記無線通信周波数は、上記ＵＥの使用済み周波数を含み、上記測定制御メッセージは、上記遠隔的に選択されたＥＥＢを包含する周波数内測定報告基準情報要素（ＩＥ）を含む。
【０１１９】
実例５６は、実例４９の無線通信方法であって、上記無線通信周波数のために設定される１つ又は複数の測定と関連付けられた測定識別子の解放を示す解放通知を受信するステップと、上記測定識別子が上記測定制御メッセージと関連付けられた測定識別子と異なるという判定に応答して、上記ローカルなＥＥＢを維持するステップとを含む。
【０１２０】
実例５７は、少なくとも１つの非一時的なコンピュータ読み取り可能な記憶媒体であって、コンピューティング装置上で実行されることに応答して、上記コンピューティング装置に実例４９から実例５６のいずれかによる無線通信方法を実行させる命令のセットを含む。
【０１２１】
実例５８は、装置であって、実例４９から実例５６のいずれかによる無線通信方法を実行するための手段を備える。
【０１２２】
実例５９は、システムであって、実例５８による装置、少なくとも１つの無線周波数（ＲＦ）トランシーバ及び少なくとも１つのＲＦアンテナを備える。
【０１２３】
実例６０は、実例５９のシステムであって、タッチスクリーンディスプレイを備える。
【０１２４】
実例６１は、ユーザ装置（ＵＥ）であって、１つ又は複数の周波数内検出セットセルのリストを含む周波数内事象評価ブラックリスト（ＥＥＢ）を包含する測定制御メッセージを受信するための手段と、上記測定制御メッセージに含まれる上記周波数内ＥＥＢの内容によってローカルな周波数内ＥＥＢをプロビジョニングするための手段と、周波数内事象評価のセットを実行するための手段と、上記周波数内事象評価のセットから上記１つ又は複数の周波数内検出セットセルを除外するための手段とを備える。
【０１２５】
実例６２は、実例６１のＵＥであって、上記ローカルな周波数内ＥＥＢのプロビジョニングは、上記ローカルな周波数内ＥＥＢを作成することを含む。
【０１２６】
実例６３は、実例６１のＵＥであって、上記ローカルな周波数内ＥＥＢのプロビジョニングは、上記ローカルな周波数内ＥＥＢの既存の内容を、上記測定制御メッセージに含まれる上記周波数内ＥＥＢの内容と置き換えることを含む。
【０１２７】
実例６４は、実例６１のＵＥであって、上記周波数内ＥＥＢは、“検出セットセルにおいて除外されるべきセル”情報要素（ＩＥ）を含む。
【０１２８】
実例６５は、実例６１のＵＥであって、上記周波数内事象評価のセットは、第３世代パートナシッププロジェクト（３ＧＰＰ）技術仕様書２５．３３１バージョン１１．９．０に従った周波数内測定事象１ａ、１ｄ及び１ｅのうちの１つ又は複数の評価を含む。
【０１２９】
実例６６は、実例６１のＵＥであって、設定された周波数内測定のセットが解放されるべきであることを示すとともに、上記設定された周波数内測定のセットと関連付けられた測定識別子（ＩＤ）を識別する測定解放メッセージを受信するための手段と、上記設定された周波数内測定のセットと関連付けられた上記測定ＩＤが上記測定制御メッセージに含まれる測定ＩＤに適合しないという判定に応答して、上記ローカルな周波数内ＥＥＢを維持するための手段とを備える。
【０１３０】
実例６７は、実例６１のＵＥであって、上記測定制御メッセージは、上記周波数内ＥＥＢを包含する周波数内測定報告基準情報要素（ＩＥ）を含む。
【０１３１】
実例６８は、実例６１のＵＥであって、当該ＵＥの二次アップリンク（ＵＬ）周波数のためのＥＥＢを含む第２の測定制御メッセージを受信するための手段と、上記二次ＵＬ周波数のための上記ＥＥＢの内容によってローカルな周波数間ＥＥＢをプロビジョニングするための手段とを備える。
【０１３２】
実例６９は、実例６１から実例６８のいずれかのＵＥであって、少なくとも１つの無線周波数（ＲＦ）トランシーバ及び少なくとも１つのＲＦアンテナを備える。
【０１３３】
実例７０は、実例６９のＵＥであって、タッチスクリーンディスプレイを備える。
【０１３４】
実例７１は、少なくとも１つの非一時的なコンピュータ読み取り可能な記憶媒体であって、ユーザ装置（ＵＥ）上で実行されることに応答して、上記ＵＥに、無線通信周波数のための遠隔的に選択された事象評価ブラックリスト（ＥＥＢ）を含む測定制御メッセージを受信させ、ローカルなＥＥＢが上記無線通信周波数のために存在するかどうかを判定させるとともに、ローカルなＥＥＢが上記無線通信周波数のために存在するという判定に応答して、上記ローカルなＥＥＢの内容を上記遠隔的に選択されたＥＥＢの内容と置き換えさせる無線通信命令のセットを含む。
【０１３５】
実例７２は、実例７１の少なくとも１つの非一時的なコンピュータ読み取り可能な記憶媒体であって、上記ＵＥ上で実行されることに応答して、上記ＵＥに、ローカルなＥＥＢが上記無線通信周波数のために存在しないという判定に応答して、上記無線通信周波数のためのローカルなＥＥＢを作成させる無線通信命令を含み、上記ローカルなＥＥＢは、上記遠隔的に選択されたＥＥＢの内容を含む。
【０１３６】
実例７３は、実例７１の少なくとも１つの非一時的なコンピュータ読み取り可能な記憶媒体であって、上記無線通信周波数は、上記ＵＥの未使用周波数を含み、上記測定制御メッセージは、上記遠隔的に選択されたＥＥＢを包含する周波数間測定報告基準情報要素（ＩＥ）を含む。
【０１３７】
実例７４は、実例７３の少なくとも１つの非一時的なコンピュータ読み取り可能な記憶媒体であって、上記周波数間測定報告基準ＩＥは、上記遠隔的に選択されたＥＥＢが上記未使用周波数に適用されることを示す周波数情報ＩＥを含む。
【０１３８】
実例７５は、実例７４の少なくとも１つの非一時的なコンピュータ読み取り可能な記憶媒体であって、上記周波数間測定報告基準ＩＥは、上記ＵＥの第２の未使用周波数に適用される第２の遠隔的に選択されたＥＥＢを含み、上記周波数情報ＩＥは、上記第２の遠隔的に選択されたＥＥＢが上記第２の未使用周波数に適用されることを示す。
【０１３９】
実例７６は、実例７１の少なくとも１つの非一時的なコンピュータ読み取り可能な記憶媒体であって、上記無線通信周波数は、上記ＵＥの二次アップリンク（ＵＬ）周波数を含み、上記測定制御メッセージは、上記遠隔的に選択されたＥＥＢを包含する周波数間測定報告基準情報要素（ＩＥ）を含む。
【０１４０】
実例７７は、実例７１の少なくとも１つの非一時的なコンピュータ読み取り可能な記憶媒体であって、上記無線通信周波数は、上記ＵＥの使用済み周波数を含み、上記測定制御メッセージは、上記遠隔的に選択されたＥＥＢを包含する周波数内測定報告基準情報要素（ＩＥ）を含む。
【０１４１】
実例７８は、実例７１の少なくとも１つの非一時的なコンピュータ読み取り可能な記憶媒体であって、上記ＵＥ上で実行されることに応答して、上記ＵＥに、上記無線通信周波数のために設定される１つ又は複数の測定と関連付けられた測定識別子の解放を示す解放通知を受信させるとともに、上記測定識別子が上記測定制御メッセージと関連付けられた測定識別子と異なるという判定に応答して、上記ローカルなＥＥＢを維持させる無線通信命令を含む。
【０１４２】
実例７９は、ユーザ装置（ＵＥ）であって、少なくとも一部分がハードウェアに存在するロジックを備え、上記ロジックは、１つ又は複数の検出セットセルを識別する周波数間事象評価ブラックリスト、及び上記周波数間事象評価ブラックリストが適用される周波数を示す情報要素（ＩＥ）を含む測定制御メッセージを、ダウンリンク制御チャネル（ＤＣＣＨ）を介して受信し、上記ロジックは、上記の示された周波数のための１つ又は複数の周波数間測定事象評価から上記１つ又は複数の検出セットセルを除外する。
【０１４３】
実例８０は、実例７９のＵＥであって、上記周波数間事象評価ブラックリストは、“未使用周波数検出セルにおいて除外されるべきセル”ＩＥに含まれる。
【０１４４】
実例８１は、実例７９のＵＥであって、上記ロジックは、上記測定制御メッセージの受信に応答してローカルな周波数間事象評価ブラックリストが上記の示された周波数のために存在するかどうかを判定するとともに、ローカルな周波数間事象評価ブラックリストが上記の示された周波数のために存在するという判定に応答して、上記ローカルな周波数間事象評価ブラックリストの内容を上記測定制御メッセージに含まれる上記周波数間事象評価ブラックリストの内容と置き換える。
【０１４５】
実例８２は、実例８１のＵＥであって、上記ロジックは、ローカルな周波数間事象評価ブラックリストが上記の示された周波数のために存在しないという判定に応答して、上記の示された周波数のためのローカルな周波数間事象評価ブラックリストを作成する。
【０１４６】
実例８３は、実例７９のＵＥであって、上記測定制御メッセージは、上記の示された周波数を含む周波数情報ＩＥを包含する“周波数間測定報告基準”ＩＥを含む。
【０１４７】
実例８４は、実例７９のＵＥであって、上記の示された周波数は、当該ＵＥの未使用周波数を含む。
【０１４８】
実例８５は、実例７９のＵＥであって、上記の示された周波数は、当該ＵＥの二次アップリンク（ＵＬ）周波数を含む。
【０１４９】
実例８６は、実例７９のＵＥであって、上記ロジックは、第２の周波数のための１つ又は複数の周波数間測定事象評価から、上記第２の周波数のためのローカルな事象評価ブラックリストに基づいて、１つ又は複数の検出セットセルを除外する。
【０１５０】
実例８７は、実例７９から実例８６のいずれかのＵＥであって、少なくとも１つの無線周波数（ＲＦ）トランシーバ及び少なくとも１つのＲＦアンテナを備える。
【０１５１】
実例８８は、実例８７のＵＥであって、タッチスクリーンディスプレイを備える。
【０１５２】
実例８９は、ユーザ装置（ＵＥ）であって、無線通信周波数のための遠隔的に選択された事象評価ブラックリスト（ＥＥＢ）を含む測定制御メッセージを受信するための手段と、ローカルなＥＥＢが上記無線通信周波数のために存在するかどうかを判定するための手段と、ローカルなＥＥＢが上記無線通信周波数のために存在するという判定に応答して、上記ローカルなＥＥＢの内容を上記遠隔的に選択されたＥＥＢの内容と置き換えるための手段とを備える。
【０１５３】
実例９０は、実例８９のＵＥであって、ローカルなＥＥＢが上記無線通信周波数のために存在しないという判定に応答して、上記無線通信周波数のためのローカルなＥＥＢを作成するための手段を含み、上記ローカルなＥＥＢは、上記遠隔的に選択されたＥＥＢの内容を含む。
【０１５４】
実例９１は、実例８９のＵＥであって、上記無線通信周波数は、当該ＵＥの未使用周波数を含み、上記測定制御メッセージは、上記遠隔的に選択されたＥＥＢを包含する周波数間測定報告基準情報要素（ＩＥ）を含む。
【０１５５】
実例９２は、実例９１のＵＥであって、上記周波数間測定報告基準ＩＥは、上記遠隔的に選択されたＥＥＢが上記未使用周波数に適用されることを示す周波数情報ＩＥを含む。
【０１５６】
実例９３は、実例９２のＵＥであって、上記周波数間測定報告基準ＩＥは、当該ＵＥの第２の未使用周波数に適用される第２の遠隔的に選択されたＥＥＢを含み、上記周波数情報ＩＥは、上記第２の遠隔的に選択されたＥＥＢが上記第２の未使用周波数に適用されることを示す。
【０１５７】
実例９４は、実例８９のＵＥであって、上記無線通信周波数は、当該ＵＥの二次アップリンク（ＵＬ）周波数を含み、上記測定制御メッセージは、上記遠隔的に選択されたＥＥＢを包含する周波数間測定報告基準情報要素（ＩＥ）を含む。
【０１５８】
実例９５は、実例８９のＵＥであって、上記無線通信周波数は、当該ＵＥの使用済み周波数を含み、上記測定制御メッセージは、上記遠隔的に選択されたＥＥＢを包含する周波数内測定報告基準情報要素（ＩＥ）を含む。
【０１５９】
実例９６は、実例８９のＵＥであって、上記無線通信周波数のために設定される１つ又は複数の測定と関連付けられた測定識別子の解放を示す解放通知を受信するための手段と、上記測定識別子が上記測定制御メッセージと関連付けられた測定識別子と異なるという判定に応答して、上記ローカルなＥＥＢを維持するための手段とを備える。
【０１６０】
実例９７は、実例８９から実例９６のいずれかのＵＥであって、少なくとも１つの無線周波数（ＲＦ）トランシーバ及び少なくとも１つのＲＦアンテナを備える。
【０１６１】
実例９８は、実例９７のＵＥであって、タッチスクリーンディスプレイを備える。
【０１６２】
実例９９は、無線通信方法であって、１つ又は複数の検出セットセルを識別する周波数間事象評価ブラックリスト、及び上記周波数間事象評価ブラックリストが適用される周波数を示す情報要素（ＩＥ）を含む測定制御メッセージを、ダウンリンク制御チャネル（ＤＣＣＨ）を介して受信するステップと、処理回路によって上記の示された周波数のための１つ又は複数の周波数間測定事象評価から上記１つ又は複数の検出セットセルを除外するステップとを含む。
【０１６３】
実例１００は、実例９９の無線通信方法であって、上記周波数間事象評価ブラックリストは、“未使用周波数検出セルにおいて除外されるべきセル”ＩＥに含まれる。
【０１６４】
実例１０１は、実例９９の無線通信方法であって、上記測定制御メッセージの受信に応答してローカルな周波数間事象評価ブラックリストが上記の示された周波数のために存在するかどうかを判定するステップと、ローカルな周波数間事象評価ブラックリストが上記の示された周波数のために存在するという判定に応答して、上記ローカルな周波数間事象評価ブラックリストの内容を上記測定制御メッセージに含まれる上記周波数間事象評価ブラックリストの内容と置き換えるステップとを含む。
【０１６５】
実例１０２は、実例１０１の無線通信方法であって、ローカルな周波数間事象評価ブラックリストが上記の示された周波数のために存在しないという判定に応答して、上記の示された周波数のためのローカルな周波数間事象評価ブラックリストを作成するステップを含む。
【０１６６】
実例１０３は、実例９９の無線通信方法であって、上記測定制御メッセージは、上記の示された周波数を含む周波数情報ＩＥを包含する“周波数間測定報告基準”ＩＥを含む。
【０１６７】
実例１０４は、実例９９の無線通信方法であって、上記の示された周波数は、上記ＵＥの未使用周波数を含む。
【０１６８】
実例１０５は、実例９９の無線通信方法であって、上記の示された周波数は、上記ＵＥの二次アップリンク（ＵＬ）周波数を含む。
【０１６９】
実例１０６は、実例９９の無線通信方法であって、第２の周波数のための１つ又は複数の周波数間測定事象評価から、上記第２の周波数のためのローカルな事象評価ブラックリストに基づいて、１つ又は複数の検出セットセルを除外するステップを含む。
【０１７０】
実例１０７は、少なくとも１つの非一時的なコンピュータ読み取り可能な記憶媒体であって、コンピューティング装置上で実行されることに応答して、上記コンピューティング装置に実例９９から実例１０６のいずれかによる無線通信方法を実行させる命令のセットを含む。
【０１７１】
実例１０８は、装置であって、実例９９から実例１０６のいずれかによる無線通信方法を実行するための手段を備える。
【０１７２】
実例１０９は、システムであって、実例１０８による装置、少なくとも１つの無線周波数（ＲＦ）トランシーバ及び少なくとも１つのＲＦアンテナを備える。
【０１７３】
実例１１０は、実例１０９のシステムであって、タッチスクリーンディスプレイを備える。
【０１７４】
実例１１１は、ユーザ装置（ＵＥ）であって、少なくとも一部分がハードウェアに存在するロジックを備え、上記ロジックは、１つ又は複数の周波数内検出セットセルのリストを含む周波数内事象評価ブラックリスト（ＥＥＢ）を包含する測定制御メッセージを受信し、上記測定制御メッセージに含まれる上記周波数内ＥＥＢの内容によってローカルな周波数内ＥＥＢをプロビジョニングし、周波数内事象評価のセットを実行するとともに、上記周波数内事象評価のセットから上記１つ又は複数の周波数内検出セットセルを除外する。
【０１７５】
実例１１２は、実例１１１のＵＥであって、上記ローカルな周波数内ＥＥＢのプロビジョニングは、上記ローカルな周波数内ＥＥＢを作成することを含む。
【０１７６】
実例１１３は、実例１１１のＵＥであって、上記ローカルな周波数内ＥＥＢのプロビジョニングは、上記ローカルな周波数内ＥＥＢの既存の内容を、上記測定制御メッセージに含まれる上記周波数内ＥＥＢの内容と置き換えることを含む。
【０１７７】
実例１１４は、実例１１１のＵＥであって、上記周波数内ＥＥＢは、“検出セットセルにおいて除外されるべきセル”情報要素（ＩＥ）を含む。
【０１７８】
実例１１５は、実例１１１のＵＥであって、上記周波数内事象評価のセットは、第３世代パートナシッププロジェクト（３ＧＰＰ）技術仕様書２５．３３１バージョン１１．９．０に従った周波数内測定事象１ａ、１ｄ及び１ｅのうちの１つ又は複数の評価を含む。
【０１７９】
実例１１６は、実例１１１のＵＥであって、上記ロジックは、設定された周波数内測定のセットが解放されるべきであることを示すとともに、上記設定された周波数内測定のセットと関連付けられた測定識別子（ＩＤ）を識別する測定解放メッセージを受信するととともに、上記ロジックは、上記設定された周波数内測定のセットと関連付けられた上記測定ＩＤが上記測定制御メッセージに含まれる測定ＩＤに適合しないという判定に応答して、上記ローカルな周波数内ＥＥＢを維持する。
【０１８０】
実例１１７は、実例１１１のＵＥであって、上記測定制御メッセージは、上記周波数内ＥＥＢを包含する周波数内測定報告基準情報要素（ＩＥ）を含む。
【０１８１】
実例１１８は、実例１１１のＵＥであって、上記ロジックは、当該ＵＥの二次アップリンク（ＵＬ）周波数のためのＥＥＢを含む第２の測定制御メッセージを受信するとともに、上記二次ＵＬ周波数のための上記ＥＥＢの内容によってローカルな周波数間ＥＥＢをプロビジョニングする。
【０１８２】
実例１１９は、実例１１１から実例１１８のいずれかのＵＥであって、少なくとも１つの無線周波数（ＲＦ）トランシーバ及び少なくとも１つのＲＦアンテナを備える。
【０１８３】
実例１２０は、実例１１９のＵＥであって、タッチスクリーンディスプレイを備える。
【０１８４】
多数の特定の詳細が実施例の完全な理解を提供するためにここで説明された。しかしながら、実施例はこれらの特定の詳細なしで実施され得る、ということが当業者によって理解されるであろう。他の場合において、周知の動作、構成要素、及び回路は、実施例を不明瞭にしないために詳細に説明されなかった。ここで開示された特定の構造的及び機能的な詳細が代表的であることができ、実施例の範囲を必ずしも限定するとは限らない、ということが認識されることができる。
【０１８５】
いくつかの実施例は、“結合される”及び“接続される”という表現をそれらの派生語と共に使用して説明され得る。これらの用語は、相互に対する同義語を意図していない。例えば、いくつかの実施例は、２つ以上の要素が互いに直接的な物理的又は電気的接触状態にあるということを示すために、“結合される”及び／又は“接続される”という用語を使用して説明され得る。しかしながら、“結合される”という用語は、同様に、２つ以上の要素が互いに直接的な接触状態にないが、それでもやはり互いに協同するか、又は相互作用するということを意味し得る。
【０１８６】
明確に別の方法で表明されない限り、“処理する”、“計算する”、“算出する”、“判定する”、又は同様のもののような用語は、計算システムのレジスタ及び／若しくはメモリ内の（例えば、電子的な）物理量として表されたデータを計算システムのメモリ、レジスタ、又は他のそのような情報の記憶装置、伝送装置、若しくは表示装置内の物理量として同様に表された他のデータに処理する及び／又は変換するコンピュータ若しくは計算システム、あるいは同様の電子計算装置の動作及び／又は工程のことを指す、ということが認識され得る。実施例は、この文脈に限定されない。
【０１８７】
ここで説明された方法が、説明された順序で、又はあらゆる特定の順序で実行される必要がないことに、留意すべきである。さらに、ここで特定された方法に関して説明された様々な作業（activity：アクティビティ）は、連続する方法で、又は並行する方法で実行され得る。
【０１８８】
特定の実施例がここで例示されて説明されたが、同じ目的を達成すると見込まれるあらゆる取り合わせ（arrangement：アレンジメント）が示された特定の実施例の代用にされ得る、ということが認識されるべきである。この開示は、各種の実施例の全ての改作物又は変形物をカバーすることを意図している。上述の説明が、実例となる方法で行われ、限定的なものではない、ということが理解されるべきである。上述の実施例とここで明確に説明されなかった他の実施例との組み合わせは、上述の説明を精査することにより当業者には明白であろう。したがって、各種の実施例の範囲は、上述の構成、構造、及び方法が使用されるあらゆる他のアプリケーションを含む。
【０１８９】
読者が技術的開示の性質を迅速に確かめることを可能にするであろう要約を要求する連邦規則法典第３７巻セクション１．７２（ｂ）（37C.F.R.  §  1.72(b)）に適合するように、本開示の要約が提供される、ということが強調される。要約は、要約が請求項の範囲又は意味を解釈するか、又は限定するために使用されないであろう、という了解のもとに提出される。さらに、前述の詳細な説明において、本開示を合理化する目的で様々な特徴が単一の実施例に集められる、ということが理解され得る。本開示のこの方法は、権利請求された実施例が、各請求項において明確に暗唱される特徴より更なる特徴を必要とする意図を反映する、と解釈されるべきではない。それどころか、添付の請求項が反映するように、発明の主題は、単一の開示された実施例の全ての特徴より少ない状態にある。したがって、添付の請求項は、この結果、各請求項が個別の好ましい実施例として独立している状態で詳細な説明の中に組み込まれる。添付の請求項において、“含む（including）”及び“その中で（in  which）”という用語は、それぞれ、“備える（comprising）”及び“ここで（wherein）”というそれぞれの用語の分かりやすい英語の等価物として使用される。さらに、“第１の”、“第２の”、及び“第３の”などの用語は、単にラベルとして使用され、数値的な要求をそれらの対象物に課すことを意図していない。
【０１９０】
主題は、構造上の特徴及び／又は方法論的な動作に特有の言語で説明されているが、添付の請求項において定義された主題は、上記で説明された特定の特徴又は動作に必ずしも限定されるとは限らない、ということが理解されるべきである。それどころか、上記で説明された特定の特徴又は動作は、請求項を実施することの実例形態として開示される。
【図１】
0006382346.tif 000002
【図２】
0006382346.tif 000003
【図３】
0006382346.tif 000004
【図４】
0006382346.tif 000005
【図５】
0006382346.tif 000006
【図６】
0006382346.tif 000007
【図７】
0006382346.tif 000008
【図８】
0006382346.tif 000009
【図９】
0006382346.tif 000010